(57)【要約】【課題】制御基板ボックス全体を封止して不正行為を防止しつつ、正規に制御基板を交換する場合に大きな負担がなく交換できる遊技機を提供する。【解決手段】パチンコ機に、遊技領域を有した遊技盤５と、遊技領域内へ打ち込まれた遊技球を契機として所定の遊技制御を行うための主制御基板９４と、主制御基板９４を収納可能とされたボックス本体９６、及びボックスカバー９７からなる主制御基板ボックス９５と、ボックス本体９６とボックスカバー９７とを解封不能に封止する第一封止手段１００と、主制御基板ボックス９５を固定するための基板ボックスホルダ９１と、基板ボックスホルダ９１と主制御基板ボックス９５との間に配置され基板ボックスホルダ９１に固定される中間部材２２０と、中間部材２２０と主制御基板ボックス９５とを解封不能に封止する第二封止手段１０２とを具備させる。【選択図】図２４
2008018042.tif 000002
【特許請求の範囲】
【請求項１】
遊技者の操作によって遊技媒体が打ち込まれる遊技領域を有した遊技盤と、
該遊技盤の前記遊技領域内へ打ち込まれた遊技媒体を契機として所定の遊技制御を行うための制御基板と、
該制御基板を開口部から収納可能とされたボックス本体、及び該ボックス本体の前記開口部を閉鎖するボックスカバーからなる基板ボックスと、
該基板ボックスの前記ボックス本体と前記ボックスカバーとを解封不能に封止する第一封止手段と、
該第一封止手段により封止された前記基板ボックスを所定位置に固定保持可能な基板ボックス保持部材と、
該基板ボックス保持部材と前記基板ボックスとの間に配置されると共に前記基板ボックス保持部材に固定される板状の中間部材と、
該中間部材と前記基板ボックスとを解封不能に封止する第二封止手段と
を具備することを特徴とする遊技機。
【発明の詳細な説明】
【技術分野】
【０００１】
本発明は、ぱちんこ遊技機（一般的に「パチンコ機」とも称する）や回胴式遊技機（一般的に「パチスロ機」とも称する）等の遊技機に関するものである。
【背景技術】
【０００２】
従来より、パチンコ機等の遊技機において、遊技媒体として例えば遊技球が打ち込まれる遊技領域内には、多数の障害釘が所定のゲージ配列をなして備えられている他、遊技領域の上下方向の途中の適宜位置に風車が備えられている。更に遊技領域の適宜位置には、入球確率が変化するように左右に拡開する開閉片（所謂チューリップ）を備えた入賞口や、入賞口の開閉片を拡開させる始動口等が備えられている。また、遊技領域の適宜位置に、始動口への入球により所定の抽選を行いその抽選結果に応じて大入賞口等の開閉片が繰り返し開閉動作するアタッカ装置を備えたものも知られている。
【０００３】
また、この種の遊技機には、入賞口や大入賞口等への入球により所定数の遊技球を払出すための払出制御を行う払出制御基板や、始動口への入球により所定の抽選を行ったり、開閉片やアタッカ装置などを制御したりする主制御基板等の制御基板が備えられている。これら制御基板には、所定の制御を行うためのプログラム等が記憶されたＲＯＭ、ＲＯＭに記憶されたプログラムを実行させて所定の制御処理を行うＣＰＵ、及びＣＰＵでの制御処理等の際に一時的に所定のデータを記憶させるＲＡＭ等が備えられている。
【０００４】
ところで、払出制御基板や主制御基板等の制御基板で行われる制御は、遊技の構成上、重要な制御処理を行っており、これら制御基板のＲＯＭが不正なプログラムが記憶されたＲＯＭと交換されたり、制御基板が不正な制御処理が行われるような制御基板と交換されたりして、不正な遊技が行われる恐れがあった。
【０００５】
そのため、制御基板を基板ボックスに収納した上で、基板ボックスが不正に開けられないように、基板ボックスの上蓋に施錠装置付きのホルダ金具を被せた状態で基板ボックスを遊技機に取付けるようにしたものが提案されている（例えば、特許文献１）。
【０００６】
また、制御基板を収納する基板ボックスをボックス本体とカバー部材とで構成し、ボックス本体及びカバー部材に夫々封印部を形成し、ボックス本体側とカバー部材側の封印部を連結部材により連結することで、ボックス本体とカバー部材とで制御基板を封印して基板ボックスを遊技機に取付けるようにしたものも提案されている（例えば、特許文献２）。
【０００７】
更に、ケース本体と上蓋とで制御基板を収納するようにした基板ケースを、遊技盤に固定されたヒンジ受け台によりヒンジ回転可能な固定金具に取付固定するような構成として、第一封印部と第二封印部とを有した封印部材を上蓋に固定した上で、第一封印部で上蓋とケース本体とを封印すると共に、第二封印部で上蓋と固定金具とを封印するようにしたものも提案されている（例えば、特許文献３）。
【０００８】
【特許文献１】特開平１１−４９４７号公報
【特許文献２】特開２００５−２３０５３７号公報
【特許文献３】特開２００１−６２１１４号公報
【発明の開示】
【発明が解決しようとする課題】
【０００９】
しかしながら、特許文献１のものでは、施錠装置の施錠を開錠することで、比較的容易に基板ボックスを開けることができ、不正行為に対する防御が低いものとなっていた。また、施錠装置における開錠の痕跡が残り難いので、制御基板のＲＯＭが不正なＲＯＭに交換されたり、不正なＲＯＭが取付けられた制御基板に交換されたりしても、気づき難く、不正行為に対する抑止力の低いものとなっていた。
【００１０】
それに対して、特許文献２のものでは、制御基板を収納した基板ボックスを開けるのには、ボックス本体とカバー部材とを封印する封印部を破壊する必要があり、解封の痕跡が明確に残るので、ＲＯＭ交換等の不正行為に対する抑止力が高いものとなっている。しかしながら、特許文献２のものでは、遊技機から基板ボックスを取外した上で、基板ボックスの裏側に孔を開け、そこから制御基板に対して不正な改造を行い、不正に改造された基板ボックスを再び遊技機に取付けるような不正行為が行われる恐れがある。また、このような不正行為が行われた場合、封止部には解封の痕跡が残らないので、検査などの際に不正行為の発見がし辛い問題がある。
【００１１】
一方、特許文献３のものでは、制御基板を収納した基板ケースにおいて、ケース本体と上蓋だけでなく、上蓋と固定金具との間でも封印するようにしているので、基板ケースを開けたり、基板ケースを固定金具から外したりするためには、第一封印部及び第二封印部の両方の封印部を解封しなければならず、解封の痕跡が明確に残ることで、不正行為に対する抑止力がより高いものとなっている。しかしながら、特許文献３のものでは、故障等により制御基板の交換修理が必要となった場合、第一封印部及び第二封印部を開封して制御基板を交換修理することとなるので、基板ケースや固定金具に解封した痕跡が残ってしまい、不正行為による解封と同様の状態となってしまう問題がある。
【００１２】
そのため、基板ケースを遊技機に固定する固定金具やヒンジ受け台ごと交換することが考えられるが、この場合、制御基板を交換修理するために新たに必要な部品の数が多くなると共に固定金具が基板ケースよりも大きな部材とされているので、交換修理にかかる手間や修理費用が増加すると共に、廃棄処分する量が多くなり処分コストが増加する問題があり、制御基板の交換修理にかかる負担が大きくなる問題がある。
【００１３】
そこで、本発明は上記の実状に鑑み、制御基板ボックス全体を封止して不正行為を防止しつつ、正規に制御基板を交換する場合に大きな負担がなく交換できる遊技機の提供を課題とするものである。
【課題を解決するための手段】
【００１４】
手段１：遊技機において、
「遊技者の操作によって遊技媒体が打ち込まれる遊技領域を有した遊技盤と、
該遊技盤の前記遊技領域内へ打ち込まれた遊技媒体を契機として所定の遊技制御を行うための制御基板と、
該制御基板を開口部から収納可能とされたボックス本体、及び該ボックス本体の前記開口部を閉鎖するボックスカバーからなる基板ボックスと、
該基板ボックスの前記ボックス本体と前記ボックスカバーとを解封不能に封止する第一封止手段と、
該第一封止手段により封止された前記基板ボックスを所定位置に固定保持可能な基板ボックス保持部材と、
該基板ボックス保持部材と前記基板ボックスとの間に配置されると共に前記基板ボックス保持部材に固定される板状の中間部材と、
該中間部材と前記基板ボックスとを解封不能に封止する第二封止手段と
を具備する」ものであることを特徴とする。
【００１５】
ここで、「遊技盤」としては、「遊技盤ベースに相当する部材が木製合板からなるもの」、「遊技盤ベースに相当する部材が透明な合成樹脂からなるもの」、「遊技盤ベースに相当する部材が、遊技領域が形成され透明な合成樹脂からなる遊技パネルと、遊技パネルを支持するパネルホルダとからなるもの」、等が挙げられる。
【００１６】
また、「遊技領域内に打ち込まれた遊技媒体を契機」とは、遊技領域内に配置された入賞口、始動口、スルーチャッカー等に備えられた遊技媒体検出手段によって遊技媒体が検出されることを契機とするものである。
【００１７】
更に、「制御基板」としては、「遊技全体を制御する主制御基板」、「主制御基板からの指示に基づいて音響演出や発光演出を制御する副制御基板」、「遊技媒体の払出しを制御する払出制御基板」、等が挙げられる。
【００１８】
また、「第一封止手段」及び「第二封止手段」としては、「互いに対向するように、夫々の側に形成された封止部と、封止部同士を封止連結する封止部材とからなるもの」、「一方が可撓性を有した支持部の先端に形成された封止ピンとされると共に、他方が封止ピンと嵌合連結可能な封止孔とからなるもの」、「所定の施錠装置と、施錠装置の鍵穴を封鎖するキャップとからなるもの」、等が挙げられる。また、第一封止手段及び第二封止手段を夫々複数備えるようにしても良い。
【００１９】
更に、「基板ボックス保持部材」としては、「遊技盤の後面側に固定された基板ボックスホルダに備えられたもの」、「遊技盤によって支持される演出表示手段（例えば、表示装置）の背面に備えられたもの」、「遊技盤の後面側に固定された演出用役物や装飾体を収容可能な裏箱に備えられたもの」、等が挙げられる。なお、「基板ボックスホルダ」としては、「遊技盤の後面側に取付固定され、遊技領域内から排出される遊技媒体を収集可能な箱状とされたもの」、「遊技盤或いは遊技機の本体枠等の後面側に取付固定され、基板ボックスを装着支持するボックス装着部がヒンジ回転可能とされたもの」、「遊技盤の後面側に取付固定され、表示装置、演出用役物や演出用装飾体等を収容可能としたもの」、等が挙げられる。
【００２０】
また、「中間部材」としては、「基板ボックス保持部材に固定する固定部が、基板ボックスによって隠蔽される位置に備えられているもの」、「基板ボックスと略同じ大きさとされ、固定部が基板ボックスと基板ボックス保持部との間に配置されるもの」、「金属からなるもの」、等が挙げられる。
【００２１】
手段１の構成によると、遊技媒体が打ち込まれる遊技領域を有した遊技盤と、遊技媒体を契機として所定の制御を行う制御基板と、制御基板をボックス本体とボックスカバーとで収納する基板ボックスと、基板ボックスのボックス本体とボックスカバーとを封止する第一封止手段と、基板ボックスを遊技機に固定保持可能な基板ボックス保持部材と、基板ボックス保持部材に固定され基板ボックス保持部材と基板ボックスとの間に配置される中間部材と、中間部材と基板ボックスとを封止する第二封止手段とを備えたものである。
【００２２】
これにより、故障等により基板ボックスごと制御基板を交換する場合、基板ボックス保持部材（例えば、基板ボックスホルダ）に固定保持された基板ボックスが中間部材に封止されているので、まず、第二封止手段を解封して基板ボックスを基板ボックス保持部材から取外すと共に、解封の痕跡が残る中間部材を基板ボックス保持部材から取外した上で、新しい中間部材を基板ボックス保持部材に固定し、更にその上から正規の制御基板を収納した新しい基板ボックスを基板ボックス保持部材に固定すると共に、第二封止手段により基板ボックスと中間部材とを封止することで、解封の痕跡を残すことなく制御基板（基板ボックス保持部材）を交換修理することができると同時に、大きな基板ボックス保持部材（基板ボックスホルダ）を交換する必要がなく比較的小さな中間部材を交換するようにしており、小型の部材つまりコストの安い部材を交換すると共に、交換修理する際に用意すべき部品点数を少なくすることができるので、交換修理にかかる手間とコストを低減させることができ、制御基板ボックス全体を封止して不正行為を防止しつつ、正規に制御基板を交換する場合に大きな負担がなく交換できる。
【００２３】
また、不正な制御基板やＲＯＭに交換する不正行為を行おうとしても、第一封止手段及び第二封止手段を開封しなければならず、各封止手段に解封の痕跡が明確に残り検査などの際に容易に不正行為を発見することができるようになっているので、不正行為に対する抑止力が高く、不正行為が行われるのを防止することができる。
【００２４】
なお、第一封止手段及び第二封止手段を隣接するように配置してもよく、これにより、各封止手段が集中配置されるので、一箇所で検査することが可能となり検査にかかる手間を簡略化することができる。
【００２５】
手段２：手段１の構成において、
「前記第一封止手段が、
前記ボックスカバーに形成された第一封止部と、該第一封止部と対向するように前記ボックス本体に形成された第一封止受部と、該第一封止受部と前記第一封止部とを前記ボックスカバー側から封止結合する第一封止部材とを備え、且つ、
前記第二封止手段が、
前記ボックスカバーに形成された第二封止部と、該第二封止部と対向し対向面が前記ボックス本体の第一封止受部の対向面との延長面と略同一面となるように配置され前記中間部材に形成された第二封止受部と、該第二封止受部と前記第二封止部とを前記ボックスカバー側から封止結合する第二封止部材とを備える」ものであることを特徴とする。
【００２６】
手段２の構成によると、第一封止手段を、ボックスカバーに形成される第一封止部と、ボックス本体に形成される第一封止受部と、第一封止部と第一封止受部とを封止結合する第一封止部材とで構成すると共に、第二封止手段を、ボックスカバーに形成される第二封止部と、第一封止受部と略同じ高さで中間部材に形成される第二封止受部と、第二封止部と第二封止受部とを封止結合する第二封止部材とで構成するようにしたものである。
【００２７】
これにより、制御基板のＲＯＭを交換するためには、基板ボックスのボックスカバーを開ける必要があるが、ボックスカバーが、第一封止部材によりボックス本体と封止されていると共に第二封止部材により中間部材と封止されており、両方の封止部材を解封しなければならず、解封に手間がかかると同時に、第一封止手段及び第二封止手段の両方に解封の痕跡が残るので、不正行為を思いとどまらせることができ、確実に不正行為を防止することができる。
【００２８】
また、第二封止受部が、第一封止受部と略同じ高さとされており、ボックスカバーに形成される第一封止部と第二封止部とを略同じ大きさとすることができ、第二封止部のみが中間部材側に突出することがないので、ボックスカバーの第二封止部が大きくなるのを防止することができ、第一封止手段及び第二封止手段をコンパクトに備えることができる。
【００２９】
なお、第一封止手段及び第二封止手段における夫々の封止部と封止受部とが、封止部材により封止した時に、互いに合わさる部分が外部から見えなくなるようにすることが望ましく、これにより、封止部と封止受部との間に工具を挿入して封止部材を切断して不正な解封行為を行おうとしても、封止部と封止受部との間に工具を挿入することをができなくなり、不正行為が行われるのを防止することができる。
【００３０】
また、第一封止部及び第二封止部を、第一封止受部及び第二封止受部と対向しない面側から対向する面側の近傍まで延びる挿入孔（例えば、断面形状が矩形状の角孔、断面形状が円形状の丸孔など）と、挿入孔の底部から対向する面側に貫通し挿通孔よりも小径の貫通孔とを備えたものとすると共に、第一封止受部及び第二封止受部を、第一封止部及び第二封止部の貫通孔と略同径の貫通孔とし、封止部材を、封印ネジと、封印ネジ１０１ａが螺合され第一及び第二封止部側からその貫通孔と第一及び第二封止受部の貫通孔とを貫通するように配置され第一及び第二封止部側から封印ネジが螺合されることで第一及び第二封止受部の貫通孔を貫通した先端が拡径する封印部材とを備えたものとすることが望ましく、これにより、上記作用効果を奏する第一及び第二封止手段を容易に具現化することができる。
【００３１】
手段３：手段２の構成において、
「前記第一封止手段が、前記第一封止部と前記第一封止受部とからなる第一封止ブロックを複数備えていると共に、
前記第二封止手段が、前記第二封止部と前記第二封止受部とからなる第二封止ブロックを前記第一封止ブロックと同数備えている」ものであることを特徴とする。
【００３２】
ところで、第一封止手段及び第二封止手段を夫々一つのみ備えるようにした場合、検査の際に一度解封されると、第一封止手段及び第二封止手段には解封の痕跡が残ってしまい、正規に封止されているか否かが不明となるので、解封以降使用することができず、新しい正規の基板ボックスと交換しなければならなくなり、検査による解封の度に基板ボックス等の交換費用がかかって、コストが増加する問題がある。
【００３３】
手段３の構成によると、第一封止手段に第一封止部と第一封止受部とが対となった第一封止ブロックを複数備えると共に、第二封止手段に第二封止部と第二封止受部とが対となった第二封止ブロックを第一封止ブロックと同じ数だけ備えるようにしたものである。
【００３４】
これにより、第一封止ブロック及び第二封止ブロックが夫々複数備えられているので、初めに、各封止ブロックの一つを封止部材により封止した状態とし、検査の際に解封する時は、その封止された封止ブロックを解封して検査を行い、検査後に基板ボックスを封止する際には、使用していない次の封止ブロックを封止部材により封止することで、基板ボックスを新しいものと交換することなく、検査後も確実に封止することができ、解封検査にかかるコストが増加するのを防止することができると共に、備えられた複数の封止ブロックの数だけ複数回の解封検査に対応させることができる。
【００３５】
手段４：手段１から手段３までの何れか一つの構成において、
「前記中間部材は、
所定の固定部材を介して前記基板ボックス保持部材に固定する固定部が、前記基板ボックスによって隠蔽される位置に備えられている」ものであることを特徴とする。
【００３６】
手段４の構成によると、中間部材の基板ボックス保持部材に固定するための固定部が、基板ボックスによって隠蔽される位置に配置されているものである。
【００３７】
これにより、基板ボックスを中間部材ごと基板ボックス保持部材（基板ボックスホルダ）から取外そうとしても、中間部材を基板ボックス保持部材に固定する固定部が、基板ボックスにより隠蔽された位置に配置されているので、基板ボックス保持部材に固定する固定部材（例えば、ビスなど）を外すことができず、基板ボックスを中間部材ごと外されるのを防止することができると共に、基板ボックスを中間部材ごと外して不正な基板ボックスに交換するような不正行為を防止することができる。
【００３８】
手段５：手段１から手段４までの何れか一つの構成において、
前記基板ボックスは、
内部に収納された前記制御基板が外部から視認可能となるように透明な合成樹脂によって形成されているものであることを特徴とする。
【００３９】
ここで、「合成樹脂」としては、「アクリル樹脂」、「ポリカーボネート樹脂」、「ＡＢＳ樹脂」、「ポリプロピレン」、「ポリアリレート樹脂」、「メタクリル樹脂」、等が挙げられる。
【００４０】
手段５の構成によると、基板ボックスを透明な合成樹脂によって形成したものである。これにより、基板ボックス内に収納された制御基板を外部から視認することができるので、封止手段を開封することなく基板ボックスの外部から、不正ＲＯＭの交換等の不正行為が制御基板に対して行われている否かを検査することができ、検査にかかる手間を簡略化することができると共に、不正ＲＯＭ等に交換すると外部から視認できるので不正行為を抑止することができる。
【００４１】
手段６：手段１から手段５までの何れか一つの構成において、
「前記中間部材は、
金属からなる」ものであることを特徴とする。
【００４２】
ここで、「金属」としては、「鉄」、「ステンレス合金」、「工具鋼」、「アルミ合金」、「真鍮」、等を挙げることができ、硬度の高いものを用いることが望ましい。
【００４３】
手段６の構成によると、中間部材を金属製としたものである。これにより、制御基板の故障によって交換修理する際に交換され中間部材が金属製とされているので、容易にリサイクルすることができ、廃棄処分にかかるコストや環境負荷等を低減させることができる。また、中間部材を金属製としているので、少なくとも第二封止手段の第二封止受部が金属により構成され合成樹脂と比較して強度及び硬度等を高くすることが可能となり、第二封止手段の封止をより解封し難くすることができ、不正な解封を防止することができる。
【００４４】
また、基板ボックス内の制御基板と略平行に配置される中間部材を金属製としているので、電磁波等を遮断したり吸収したりするシールド板としての機能を中間部材に付与することが可能となり、中間部材によって制御基板をノイズ等から保護して制御基板が誤作動するのを防止することができる。
【００４５】
手段７：手段１から手段６までの何れか一つの構成において、
「前記基板ボックス保持部材は、
前記遊技盤の後面側に支持配置されると共に、前記遊技領域内から排出される遊技媒体を収集して前記遊技盤の後面側下方へ排出する遊技媒体排出口を備えている」ものであることを特徴とする。
【００４６】
ところで、従来の遊技機では、遊技領域内に備えられた各種入賞口や、アウト口に受入れられた遊技媒体が、遊技盤の裏側に導かれた後に、遊技盤の下方へ排出されるようになっており、この遊技盤の裏側には、遊技領域の所定位置に配置された各種入賞口等から遊技媒体を下方へ排出誘導する誘導路が夫々取付固定されている。しかしながら、従来の遊技機では、遊技領域内に配置される入賞口等の位置が機種によって異なっているので、遊技媒体を排出誘導する誘導路も異なるものとなり、機種変更の際に誘導路も新調しなければならず、コストのかかるものとなっていた。
【００４７】
手段７の構成によると、基板ボックス保持部材を遊技盤の後面側に支持配置すると共に、基板ボックス保持部材に遊技領域から排出される遊技媒体を収集して下方へ排出する遊技媒体排出口を備えるようにしたものである。
【００４８】
これにより、基板ボックス保持部材（基板ボックスホルダ）によって遊技領域から排出された遊技媒体を収集して遊技媒体排出口から排出することができるので、遊技媒体を収集排出するための部材を別途用意する必要がなく、部品点数を削減してコストが増加するのを抑制することができる。
【００４９】
また、遊技領域内の何れの位置に各種入賞口やアウト口等が配置されていても、それら入賞口等に受入れられることで遊技盤の後方側に誘導されて排出される遊技媒体を基板ボックス保持部材により収集して、所定位置に配置された遊技媒体排出口から排出させることができる。つまり、入賞口等を遊技領域の何れの位置に配置しても遊技媒体を確実に排出することができるので、遊技機の機種を変更して入賞口等の位置が変化しても、基板ボックス保持部材を変更することなく遊技媒体を確実に排出させることができ、基板ボックス保持部材を共通パーツとすることが可能となり、遊技機にかかるコストが増加するのを抑制することができる。
【００５０】
更に、基板ボックス保持部材（基板ボックスホルダ）に遊技領域から排出さた遊技媒体を収集して排出する機能を備えるようにしており、収集される遊技媒体の重量や収集の際の衝撃に耐え得るように蓋然的に基板ボックス保持部材の剛性が高くなると共に、遊技盤へしっかり固定されるようになるので、遊技盤から基板ボックス保持部材が外し難くなり、基板ボックス保持部材ごと基板ボックスが外されるのを防止して、不正行為が行われるのを抑止することができる。
【００５１】
手段８：手段１から手段７までの何れか一つの構成において、
「前記基板ボックス保持部材は、
前記遊技盤の横幅と対応した幅で前側及び上側が開放された箱状とされている」ものであることを特徴とする。
【００５２】
手段８の構成によると、基板ボックス保持部材を、その横幅を遊技盤の幅と対応させると共に前側及び上側が開放された箱状としたものである。これにより、遊技領域内において遊技盤の後面側に排出された遊技媒体を確実に収集することができる。また、基板ボックス保持部材（基板ボックスホルダ）の幅を遊技盤の横幅と略同じ幅とした場合、基板ボックス保持部材が大型化し遊技盤への取付固定箇所が多くなるので、更に遊技盤から基板ボックス保持部材を取り外し難くすることができ、基板ボックス保持部材ごと基板ボックスを取外されるのを防止すると共に不正行為が行われるのを防止することができる。
【００５３】
なお、基板ボックス保持部材において、遊技媒体排出口を底板に配置すると共に、底板の上面を遊技媒体排出口に向かって低くなるような傾斜面とすることが望ましく、これにより、これにより、箱状に形成された基板ボックス保持部材（基板ボックスホルダ）に受入れられた遊技媒体は、底板に到達することでその傾斜面に沿って遊技媒体排出口へと誘導されて、確実に遊技媒体排出口から排出させることができ、基板ボックス保持部材内で遊技媒体が滞ったり、停滞したりするのを防止することができる。
【００５４】
手段９：手段８までの何れか一つの構成において、
「前記基板ボックス保持部材は、
後面側に前記基板ボックスの前記ボックス本体を装着するボックス装着部を更に備えている」ものであることを特徴とする。
【００５５】
手段９の構成によると、基板ボックス保持部材の後面側に、基板ボックスのボックス本体を装着固定するボックス装着部を備えるようにしたものである。これにより、遊技盤の前後方向において、前から基板ボックス保持部材、中間部材、ボックス本体、制御基板、ボックスカバーの順となり、制御基板を収納した基板ボックスが最も後に配置されるので、遊技機の後側から基板ボックスを容易に視認することができ、制御基板や基板ボックスの検査をし易くすることができる。
【００５６】
手段１０：手段１から手段９までの何れか一つの構成において、
「前記遊技盤は、
前記遊技領域の少なくとも一部に対応する大きさとされた合成樹脂からなる板状の遊技パネルと、
該遊技パネルの外周を略覆うと共に該遊技パネルが着脱可能に嵌合する嵌合段部、該嵌合段部の内側に配置され前後方向に貫通する貫通口、及び該貫通口の外周側且つ少なくとも後面側に所定配列で配置され所定のビスを螺合可能な複数の取付孔を備えた熱可塑性合成樹脂からなる枠状のパネルホルダと、
該パネルホルダ及び前記遊技パネルの前面側に配置され、前記遊技領域を区画形成すると共に該遊技領域内へ遊技媒体を案内する案内レールを備えた前構成部材と
を更に備え、
前記パネルホルダの後面側に前記基板ボックス保持部材が固定されている」ものであることを特徴とする。
【００５７】
ここで、「遊技パネル」としては、「遊技領域の一部に対応する大きさとされたもの」、「遊技領域の全体に対応する大きさとされたもの」、等が挙げられる。なお、遊技パネルには、複数の障害釘を植設する他に、入賞口や枠状の役物等を支持する前後方向に貫通する開口部を形成するようにしても良い。また、遊技パネルを、透明な部材で形成しても良いし、不透明な部材で形成しても良く、透明な部材で遊技パネルを形成することで、遊技パネルの後方を前方から視認することができ、遊技盤の後方に配置された演出表示手段（演出表示装置）や各種役物（装飾部材を含む）を視認させることができ、奥行き表現の優れた遊技盤とすることができる。
【００５８】
また、「遊技パネルを着脱可能」とするものとしては、「遊技パネルの少なくとも略対向する二辺に係合部を備えると共に、パネルホルダに遊技パネルの係合部と係合する被係合部を備え、係合部と被係合部とを係合させることで着脱可能とするもの」、「遊技パネルの適宜箇所に挿通孔を穿設し、その挿通孔を介してビス等をパネルホルダにねじ込むことで着脱可能とするもの」、等が挙げられる。
【００５９】
更に、「嵌合段部」としては、「パネルホルダの前面側が窪んだ形態とされ、パネルホルダの前側から遊技パネルを嵌合させるようにしたもの」、「パネルホルダの後面側が窪んだ形態とされ、パネルホルダの後側から遊技パネルを嵌合させるようにしたもの」、「パネルホルダの周面の一つが窪んだ形態とされ、パネルホルダの周面から遊技パネルをスライド嵌合させるようにしたもの」、等が挙げられる。
【００６０】
ところで、従来の遊技機は、遊技盤が木製合板により形成されているので、遊技盤を再利用することが困難であり、産業廃棄物として焼却処分等の廃棄処理をしなければならず、廃棄処理のコストが高いものとなっていると共に、木材資源を廃棄処分することとなるので、森林資源を消費してしまい、環境に与える影響が大きくなる問題がある。そのため、遊技盤を構成する素材として、溶融させることで再成形可能な熱可塑性の合成樹脂を用いて遊技盤を成形することが考えられる。これにより、不要となった遊技盤を処分する際に、合成樹脂の部分を一旦溶融させた上で遊技盤や他の製品（部品）に成形することができ、資源を有効に再利用したり、廃棄処分する量を可及的に少なくして廃棄処理に係るコストを低減させたりすることができる。
【００６１】
しかしながら、遊技盤を合成樹脂により形成するようにした場合、遊技盤全体を成形するための成形型が大型のものとなり、遊技盤の成形に係るコストが増大する問題がある。また、遊技機における遊技盤は、その機種ごとに障害釘や入賞口等の配置が異なっているので、機種を変更するごとに遊技盤全体を新たに形成しなければならず、機種ごとに遊技盤を成形するための大型の成形型が必要となり、機種変更に係るコストが増加する問題がある。
【００６２】
また、従来より、遊技盤には、障害釘や入賞口等が固定される他に、演出用や装飾用などの各種役物や、入賞口等に受入れられた遊技媒体を誘導する誘導路、遊技状況に応じて所定の演出画像を表示する演出表示手段、及び役物や演出表示手段等を制御するための制御基板等が所定のビス等により固定されている。そして、この遊技盤を合成樹脂により構成するようにした場合、従来の木製合板を用いたもののように任意の位置に固定用のビスをねじ込むことができず、ビスをねじ込む位置に予め下孔（例えば、取付孔）を穿設する必要がある。しかしながら、この場合、遊技機の機種によって、障害釘や各種役物等が固定される位置が異なるので、予め穿設する取付孔の位置も異なるものとなり、他の機種に使用することができない問題がある。
【００６３】
更に、遊技パネルとパネルホルダとの関係において、パネルホルダに遊技パネルの外形と略同一内形の貫通口を形成し、その貫通口に遊技パネルを嵌合させると共に接着することで、パネルホルダに遊技パネルを固定させる方法が考えられる。しかしながら、この場合、遊技パネルとパネルホルダとを組立てる際に、遊技パネルの外周或いは貫通口の内周に接着剤を塗布する工程が必要となり、工程が増加する問題がある。また、遊技パネルとパネルホルダとを接着固定すると、遊技機を廃棄処分等する際に、遊技パネルとパネルホルダとを分解するのに手間が係るようになり、廃棄処分等に係るコストが増加する問題がある。
【００６４】
手段１０の構成によると、遊技盤を、遊技領域の少なくとも一部に対応する大きさで合成樹脂からなる板状の遊技パネルと、遊技パネルが着脱可能な嵌合段部、嵌合段部の内側で前後方向に貫通する貫通口、及び貫通口の外周側で少なくとも後面側に配置され所定のビスを螺合可能な複数の取付孔を備えた熱可塑性合成樹脂からなる枠状のパネルホルダと、パネルホルダの前面側に配置され遊技領域を区画すると共に遊技媒体を遊技領域へ案内する案内レールを備えた前構成部材とで構成し、パネルホルダの後面側に基板ボックス保持部材を固定するようにしたものである。
【００６５】
これにより、遊技領域を有した遊技盤を、遊技パネル、パネルホルダ、及び前構成部材に分割するようにしているので、遊技機の機種によって障害釘や入賞口等の位置が変化する遊技パネルを交換パーツとすると共に、パネルホルダ及び前構成部材を共通パーツとすることができ、遊技パネルのみを交換するだけで種々の機種に対応可能な遊技盤を備えた遊技機とすることができる。
【００６６】
また、パネルホルダの少なくとも後面側に、予め複数の取付孔が所定配列で備えられているので、ビスをねじ込む取付孔を適宜選択することにより、各種役物や演出表示手段等を所望の位置に取付固定することができる。つまり、各種役物や演出表示手段等を取付孔の配置に合せて略任意の位置に固定することができるので、同一のパネルホルダを用いても種々の機種に対応させることができ、機種を変更してもパネルホルダを流用することで遊技盤に係るコストを抑制することができる。なお、基板ボックス保持部材を取付孔を介して取付固定するようにしても良いし、パネルホルダに別途基板ボックス保持部材取付用の取付穴を形成して基板ボックス保持部材を取付固定するようにしても良い。
【００６７】
更に、機種に応じてパネルホルダに取付固定される入賞口や各種役物等の種々の所定の部材の取付固定位置が異なる位置となっていても、パネルホルダに予め複数の取付孔が所定配列で備えられているので、各種部材の固定部を取付孔の位置と対応させるように設計することで、パネルホルダを機種に依存しない遊技機の共通パーツとすることができ、機種を変更してもパネルホルダの成形型を流用することができるので、遊技機に係るコストを低減させることができる。
【００６８】
また、板状の遊技パネルを切り出し板材とすることが望ましく、これにより、成形用の金型を必要とせずに遊技パネルを製造することができるので、遊技パネルに係る製造コストを低減させることができる。また、上述の通り、遊技パネルとパネルホルダとを分割するようにすると共にパネルホルダを共通パーツとすることができるので、一体成形する場合と比較して、機種を変更する度に遊技盤全体の大きさに相当する大型の成形型を新たに製作する必要が無く、機種変更に係るコストが増加するのを抑制することができる。
【００６９】
なお、パネルホルダの厚さを、従来の遊技盤における木製合板の部分の厚さと対応した厚さ（１８〜２１ｍｍ、望ましくは、約１９ｍｍ）とすると共に、遊技パネルの厚さをパネルホルダの厚さの約半分の厚さである８〜１０ｍｍの厚さとすることが望ましい。詳述すると、遊技パネルには多数の障害釘を植設する関係上、その厚さが８ｍｍよりも薄いと障害釘を良好に保持することができなく恐れがあり、また、厚さが１０ｍｍよりも厚くても障害釘の保持が向上しないと共に遊技パネルの重量が必要以上に重くなる問題があるからである。これにより、合成樹脂からなるパネルホルダや遊技パネルの厚さを最適なものとすることができる。
【００７０】
また、少なくともパネルホルダを熱可塑性合成樹脂からなるものとしているので、パネルホルダをリサイクルすることができ、廃棄処分にかかるコストを低減させることができると共に、省資源なものとすることができる。なお、遊技パネル及び前構成部材についても、主要部分を熱可塑性合成樹脂からなるものとすることが望ましく、遊技盤のリサイクル率をより高められると共に、廃棄処分に係るコストを一層低減させることができ、環境に優しい遊技機とすることができる。また、パネルホルダや前構成部材を共通パーツとすることができるので、遊技機の製造の際に、回収したパネルホルダや前構成部材をそのまま再利用するようにしても良く、更に、コストを低減させることができると共に、廃棄処分される廃棄物の量を低減させることができる。
【００７１】
また、遊技パネルをパネルホルダの嵌合段部に着脱可能に嵌合させるようにしており、接着固定していないので、遊技パネルとパネルホルダとを組立てるための組立工数が増加するのを抑制することができると共に、遊技パネルとパネルホルダとを容易に着脱することができるので、組立や、廃棄処分時等の分解に係る手間を簡略化することができる。
【００７２】
更に、遊技パネルがパネルホルダの嵌合段部に嵌合されるので、パネルホルダの厚み内に遊技パネルの厚みを収めることが可能となり、遊技盤を遊技パネル、パネルホルダや、前構成部材等に分割される構成としても、その厚さが増加するのを抑制することができる。従って、遊技盤を既存のものと略同等の大きさのものとすることができるので、遊技機における遊技盤以外の部分を既存のものと共通化することができると共に、既存の製造ラインに載せることができ、製造に係るコストが増加するのを抑制することができる。
【００７３】
なお、パネルホルダの嵌合段部を前側が窪んだ形態とし、パネルホルダの前側から遊技パネルを嵌合させるようにすると共に、パネルホルダと前構成部材とで遊技パネルを挟持できるようにしても良い。これにより、遊技パネルを、パネルホルダとの嵌合だけでなく、パネルホルダと前構成部材との挟持によっても保持することができるので、何らかの理由によりパネルホルダとの嵌合が緩んでも、遊技パネルが脱落するのを防止することができ、遊技パネルをより確実に保持することができる。
【００７４】
手段１１：遊技機において、
「遊技者の操作によって遊技媒体が打ち込まれる遊技領域を有した遊技盤と、
該遊技盤の前記遊技領域内へ打ち込まれた遊技媒体を契機として所定の遊技制御を行うための制御基板と、
該制御基板を開口部から収納可能とされたボックス本体、及び該ボックス本体の前記開口部を閉鎖するボックスカバーを有し、内部に収納された前記制御基板が外部から視認可能となるように透明な合成樹脂からなる基板ボックスと、
該基板ボックスの前記ボックス本体と前記ボックスカバーとを解封不能に封止し、該ボックスカバーに形成された第一封止部、該第一封止部と対向するように前記ボックス本体に形成された第一封止受部、及び該第一封止受部と前記第一封止部とを封止結合する第一封止部材を備え、前記第一封止部と前記第一封止受部とからなる第一封止ブロックを複数有した第一封止手段と、
前記遊技盤の後面側に支持されると共に該遊技盤の横幅と対応した幅で前側及び上側が開放された箱状とされ、前記遊技領域内から排出される遊技媒体を収集して前記遊技盤の後面側下方へ排出する遊技媒体排出口を備えた底板、及び後面側に前記第一封止手段によって封止される前記基板ボックスの前記ボックス本体を装着するボックス装着部を有した基板ボックス保持部材と、
該基板ボックス保持部材と前記基板ボックスとの間に配置されると共に、該基板ボックスによって隠蔽される位置に所定の固定部材を介して前記基板ボックス保持部材に固定するための固定部が備えられ、該固定部を介して前記基板ボックス保持部材に固定される金属からなる板状の中間部材と、
該中間部材と前記基板ボックスとを解封不能に封止し、前記ボックスカバーに形成された第二封止部、該第二封止部と対向し対向面が前記ボックス本体の第一封止部の対向面との延長面と略同一面となるように配置され前記中間部材に形成された第二封止受部、及び該第二封止受部と前記第二封止部とを封止結合する第二封止部材を備え、前記第二封止部と前記第二封止受部とからなる第二封止ブロックを前記第一封止ブロックと同数有した第二封止手段と
を具備する」ものであることを特徴とする。
【００７５】
手段１１の構成によると、遊技媒体が打ち込まれる遊技領域を有した遊技盤と、遊技領域内に打ち込まれた遊技媒体を契機として所定の遊技制御を行う制御基板と、ボックス本体とボックスカバーとで内部に収納された制御基板が視認可能となるように透明な合成樹脂からなる基板ボックスと、ボックスカバーに形成された第一封止部とボックス本体に形成された第一封止受部とからなる複数の第一封止ブロック、及び第一封止部と第一封止受部とを封止結合する第一封止部材を備えた第一封止手段と、遊技盤の後面側に支持されると共に遊技盤の横幅と対応した幅で前側及び上側が開放された箱状とされ、遊技領域内から排出される遊技媒体を収集して下方へ排出する遊技媒体排出口を備えた底板、及び後面側にボックス本体を装着するボックス装着部を有した基板ボックス保持部材と、基板ボックス保持部材と基板ボックスとの間に配置されると共に基板ボックスによって隠蔽される位置に基板ボックス保持部材に固定するための固定部が備えらた金属からなる板状の中間部材と、ボックスカバーに形成された第二封止部とボックス本体の第一封止部と略同一面となるように中間部材に形成された第二封止受部とからなる第一ブロックと同数の第二封止ブロック、及び第二封止受部と第二封止部とを封止結合する第二封止部材を備えた第二封止手段とを具備するものである。
【００７６】
これにより、故障等により基板ボックスごと制御基板を交換する場合、基板ボックス保持部材に固定された基板ボックスが中間部材に封止されているので、まず、第二封止手段を解封して基板ボックスを基板ボックス保持部材から取外すと共に、解封の痕跡が残る中間部材を基板ボックス保持部材から取外した上で、新しい中間部材を基板ボックス保持部材に固定し、更にその上から正規の制御基板を収納した新しい基板ボックスを基板ボックス保持部材に固定すると共に、第二封止手段により基板ボックスと中間部材とを封止することで、解封の痕跡を残すことなく制御基板（基板ボックスや基板ボックス保持部材）を交換修理することができると同時に、大きな基板ボックス保持部材を交換する必要がなく比較的小さな中間部材を交換するようにしており、小型の部材つまりコストの安い部材を交換すると共に、交換修理する際に用意すべき部品点数を少なくすることができるので、交換修理にかかる手間とコストを低減させることができ、制御基板ボックス全体を封止して不正行為を防止しつつ、正規に制御基板を交換する場合に大きな負担がなく交換できる。
【００７７】
また、不正な制御基板やＲＯＭに交換する不正行為を行おうとしても、第一封止手段及び第二封止手段を開封しなければならず、各封止手段に解封の痕跡が明確に残り検査などの際に容易に不正行為を発見することができるようになっているので、不正行為に対する抑止力が高く、不正行為が行われるのを防止することができる。
【００７８】
更に、制御基板のＲＯＭを交換するためには、基板ボックスのボックスカバーを開ける必要があるが、ボックスカバーが、第一封止部材によりボックス本体と封止されていると共に第二封止部材により中間部材と封止されており、両方の封止部材を解封しなければならず、解封に手間がかかると同時に、第一封止手段及び第二封止手段の両方に解封の痕跡が残るので、不正行為を思いとどまらせることができ、確実に不正行為を防止することができる。また、第二封止受部が、第一封止受部と略同じ高さとされており、ボックスカバーに形成される第一封止部と第二封止部とを略同じ大きさとすることができ、第二封止部のみが中間部材側に大きく突出することがないので、ボックスカバーの第二封止部が大きくなるのを防止することができ、第一封止手段及び第二封止手段をコンパクトに備えることができる。
【００７９】
また、第一封止ブロック及び第二封止ブロックが夫々複数備えられているので、初めに、各封止ブロックの一つを封止部材により封止した状態とし、検査の際に解封する時は、その封止された封止ブロックを解封して検査を行い、検査後に基板ボックスを封止する際には、使用していない次の封止ブロックを封止部材により封止することで、基板ボックスを新しいものと交換することなく、検査後も確実に封止することができ、解封検査によりコストが増加するのを防止することができると共に、備えられた複数の封止ブロックの数だけ複数回の解封検査に対応させることができる。
【００８０】
また、基板ボックスを中間部材ごと基板ボックス保持部材から取外そうとしても、中間部材を基板ボックス保持部材に固定する固定部が、基板ボックスにより隠蔽された位置に配置されているので、基板ボックス保持部材に固定する固定部材（例えば、ビスなど）を外すことができず、基板ボックスを中間部材ごと外されるのを防止することができると共に、基板ボックスを中間部材ごと外して不正な基板ボックスに交換するような不正行為を防止することができる。
【００８１】
また、基板ボックスを透明な合成樹脂によって形成しており、基板ボックス内に収納された制御基板を外部から視認することができるので、封止手段を開封することなく基板ボックスの外部から、不正ＲＯＭの交換等の不正行為が制御基板に対して行われている否かを検査することができ、検査にかかる手間を簡略化することができると共に、不正ＲＯＭ等に交換すると外部から視認できるので不正行為を抑止することができる。
【００８２】
更に、制御基板の故障によって交換修理する際に交換され中間部材が金属製とされているので、容易にリサイクルすることができ、廃棄処分にかかるコストや環境負荷等を低減させることができる。また、中間部材を金属製としているので、少なくとも第二封止手段の第二封止受部が金属により構成され合成樹脂と比較して強度及び硬度等を高くすることが可能となり、第二封止手段の封止をより解封し難くすることができ、不正な解封を防止することができる。
【００８３】
また、基板ボックス内の制御基板と略平行に配置される中間部材を金属製としているので、電磁波等を遮断したり吸収したりするシールド板としての機能を中間部材に付与することが可能となり、中間部材によって制御基板をノイズ等から保護して制御基板が誤作動するのを防止することができる。
【００８４】
更に、基板ボックス保持部材を遊技盤の後面側に支持すると共に、基板ボックス保持部材に遊技領域から排出される遊技媒体を収集して下方へ排出する遊技媒体排出口を備えるようにしており、基板ボックス保持部材によって遊技領域から排出された遊技媒体を収集して遊技媒体排出口から排出することができるので、遊技媒体を収集排出するための部材を別途用意する必要がなく、部品点数を削減してコストが増加するのを抑制することができる。
【００８５】
また、遊技領域内の何れの位置に各種入賞口やアウト口等が配置されていても、それら入賞口等に受入れられることで遊技盤の後方側に誘導されて排出される遊技媒体を基板ボックス保持部材により収集して、所定位置に配置された遊技媒体排出口から排出させることができる。つまり、入賞口等を遊技領域の何れの位置に配置しても遊技媒体を確実に排出することができるので、遊技機の機種を変更して入賞口等の位置が変化しても、基板ボックス保持部材を変更することなく遊技媒体を確実に排出させることができ、基板ボックス保持部材を共通パーツとすることが可能となり、遊技機にかかるコストが増加するのを抑制することができる。
【００８６】
更に、基板ボックス保持部材に遊技領域から排出さた遊技媒体を収集して排出する機能を備えるようにしており、収集される遊技媒体の重量や収集の際の衝撃に耐え得るように蓋然的に基板ボックス保持部材の剛性が高くなると共に、遊技盤へしっかり固定されるようになるので、遊技盤から基板ボックス保持部材が外し難くなり、基板ボックス保持部材ごと基板ボックスが外されるのを防止して、不正行為が行われるのを抑止することができる。
【００８７】
また、基板ボックス保持部材の後面側に、基板ボックスのボックス本体を装着固定するボックス装着部を備えるようにしており、遊技盤の前後方向において、前から基板ボックス保持部材、中間部材、ボックス本体、制御基板、ボックスカバーの順となり、制御基板を収納した基板ボックスが最も後に配置されるので、遊技機の後側から基板ボックスを容易に視認することができ、制御基板や基板ボックスの検査をし易くすることができる。
【００８８】
手段１２：手段１から手段１１までの何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００８９】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し、表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００９０】
手段１２の構成によると、パチンコ機において、上述した手段のいずれかの作用効果を奏することができる。
【００９１】
手段１３：手段１から手段１１までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００９２】
手段１３の構成によると、パチスロ機において、上述した手段のいずれかの作用効果を奏することができる。
【００９３】
手段１４：手段１から手段１１までの何れか一つの遊技機において、
パチンコ機とパチスロ機とを融合させてなることを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００９４】
手段１４の構成によると、パチンコ機とパチスロ機とを融合させてなる遊技機において、上述した手段のいずれかの作用効果を奏することができる。
【発明の効果】
【００９５】
このように、本発明によれば、、制御基板ボックス全体を封止して不正行為を防止しつつ、正規に制御基板を交換する場合に大きな負担がなく交換できる遊技機を提供することができる。
【発明を実施するための最良の形態】
【００９６】
以下、本発明を適用可能なパチンコ遊技機（以下、単に「パチンコ機」という）の一般的な構成を、図１乃至図８に基づいて詳細に説明する。
［パチンコ機の全体構成について］  図１及び図２に基づき説明する。
図１はパチンコ機の前側全体を示す正面図であり、図２はパチンコ機の外枠の一側に本体枠が開かれ、その本体枠の一側に更に前面枠が開かれた状態を示す斜視図である。なお、図１及び図２においては遊技領域における装飾部材を省略して示している。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【００９７】
［本体枠の構成について］  図１及び図３に基づき説明する。
図３はパチンコ機の本体枠と遊技盤とを分離して斜め右上前方から示す斜視図である。
本体枠３は、前枠体１１、遊技盤装着枠１２及び機構装着体１３を合成樹脂材によって一体成形することで構成されている。本体枠３の前枠体１１は、外枠２（図２参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【００９８】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【００９９】
［前面枠の構成について］  図１及び図２に基づき説明する。
前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。また、上皿５１の左側には、遊技者が操作可能なボタン５９が設けられている。
【０１００】
［施錠装置の構成について］  図２及び図３に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５とを備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【０１０１】
［遊技盤装着枠の構成について］  図２乃至図４に基づき説明する。
図４はパチンコ機の後側全体を示す背面図である。
図２及び図３に示すように、本体枠３の遊技盤装着枠１２は、前枠体１１の後側に設けられかつ遊技盤５が前方から着脱交換可能に装着されるようになっている。遊技盤５は、遊技盤装着枠１２の前方から嵌込まれる大きさの略四角板状に形成されている（図９参照）。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５の前面には、その案内レール７８の外側領域において、合成樹脂製の前構成部材７９が装着されている。
【０１０２】
一方、図４に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えた基板ボックスホルダ９１が設けられている。この基板ボックスホルダ９１の後側には、音声制御基板、ランプ制御基板等の副制御基板９２が収納された副制御基板ボックス９３が装着され、その副制御基板ボックス９３の後側に重ね合わされた状態で、主制御基板９４が収納された主制御基板ボックス９５が装着されている。さらに、遊技盤５の後側に対し基板ボックスホルダ９１、副制御基板ボックス９３及び主制御基板ボックス９５がそれぞれ装着された状態において、本体枠３の遊技盤装着枠１２の前方から遊技盤５を嵌込んで装着できるように、遊技盤５の外郭より外側にはみ出すことなく基板ボックスホルダ９１、副制御基板ボックス９３及び主制御基板ボックス９５が配置されている。
【０１０３】
［本体枠の機構装着体、球タンク及びタンクレールの構成について］  図７及び図８に基づき説明する。
図７はパチンコ機の本体枠に各種部材が組み付けられた状態を斜め右上後方から示す斜視図であり、図８は本体枠単体を斜め右上後方から示す斜視図である。
本体枠３の機構装着体１３には、タンク装着部１１１、レール装着部１１２、及び払出装置装着部１１３等がそれぞれ形成され、タンク装着部１１１には球タンク１１４が装着されている。球タンク１１４は、透明な合成樹脂材よりなり、島設備から供給される多数の遊技球が貯留可能な上方に開口する箱形状に形成されている。そして、球タンク１１４の遊技球の貯留状態が球タンク１１４の後側壁を透して視認可能となっている。また、球タンク１１４の底板部１１５の後側隅部には遊技球を放出する放出口１１６が形成されるとともに、底板部１１５は放出口１１６に向けて下傾する傾斜面に形成されている。
【０１０４】
本体枠３の機構装着体１３には、そのタンク装着部１１１に下方に接近してレール装着部１１２が一体に形成され、そのレール装着部１１２にレール構成部材１１７が装着されることでタンクレール１１８が構成されるようになっている。すなわち、この実施形態において、レール装着部１１１は、本体枠３の上部横方向部分が所定深さ凹まされた状態で形成されており、その凹部の奥側壁をタンクレール１１８の前壁部１１９とし、その凹部の下縁部に沿って一端（図８に向かって左端）から他端（図８に向かって右端）に向けて下傾する傾斜状のレール棚１２０が形成されている。そして、レール棚１２０の横方向に延びる上向き面をレール受け部１２１としている。
【０１０５】
レール装着部１１２に装着されてタンクレール１１８を構成するレール構成部材１１７は、レール装着部１１２の前壁部１１９との間にレール通路を構成する後壁部１２２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１１７は、レール装着部１１２に対し適宜の取付手段によって装着され、これによって、前後複数列のレール通路を備えたタンクレール１１８が構成されている。そして、球タンク１１４の放出口１１６から放出（自重によって落下）された遊技球がタンクレール１１８の前後複数列のレール通路の一端部においてそれぞれ受けられた後、遊技球が自重によってレール通路に沿って転動することでレール通路の他端部に向けて流れるようになっている。また、この実施形態において、レール構成部材１１７は、透明な合成樹脂材より形成され、これによって、レール通路内の遊技球の流れ状態が、レール構成部材１１７の後壁部１２２を透して視認可能となっている。
【０１０６】
タンクレール１１８（レール装着部１１２）の前壁部１１９は、遊技盤５の後側に突出する装備品（例えば役物）における後部の上端部との干渉を避けるため第１空間部を隔てた状態で設けられている。また、この実施形態において、本体枠３の後端部となるレール棚１２０の後端と、タンクレール１１８の後壁部は、球タンク１１４の後側壁と略同一面をなしている。言い換えると、球タンク１１４の後壁部に対しタンクレール１１８の後壁部が略同一面となる位置までタンクレール１１８が遊技盤５の後面より後方に離隔して配置されている。これによって、遊技盤５の後側とタンクレール１１８の前壁部１１９との間に装備品（例えば役物）の後部との干渉を避けるための第１空間部が設けられるようになっている。
【０１０７】
また、タンクレール１１８の上方には、レール通路を流れる遊技球を上下に重なることなく整列させる整流体１２３がその上部において軸１２４を中心として揺動可能に装着されている。この整流体１２３には、その中央部から下部において錘が設けられている。
【０１０８】
［払出装置装着部及び球払出装置の構成について］  図７及び図８に基づき説明する。
本体枠３の機構装着体１３の片側寄りの上下方向には、次に述べる球払出装置（球払出ユニット）１２５に対応する縦長の払出装置装着部１１３が形成されている。払出装置装着部１１３は、後方に開口部をもつ凹状に形成されている。また、払出装置装着部１１３の段差状をなす奥壁部（図示しない）の所定位置には、球払出装置１２５の払出用モータ１２６（図３参照）が突出可能な開口部１２７が形成されている。
【０１０９】
払出装置装着部１１３の凹部に球払出装置１２５が装着された状態において、遊技盤５との間には、第１空間部と前後方向に略同一レベルとなる第２空間部が設けられている。これによって、レール通路と球通路とが前後方向に略同一レベルで配置されている。また、本体枠３の後端、すなわち払出装置装着部１１３の周壁部後端、レール棚１２０の後端、球タンク１１４、タンクレール１１８及び球払出装置１２５のそれぞれの後面は略同一面をなしている。
【０１１０】
球払出装置１２５は、払出装置装着部１１３の凹部と略同じ大きさの縦長のボックス形状をなし、払い出しに関する各種部品が装着されることでユニット化されている。なお、球払出装置１２５は、払出装置装着部１１３の凹部の後方開口部から嵌込まれて適宜の取付手段（例えば、弾性クリップ、係止爪、ビス等の取付手段）によって装着されるようになっている。
【０１１１】
また、図示しないが、球払出装置１２５は、タンクレール１１８におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【０１１２】
［本体枠の後側下部の装備について］  図３及び図４に基づき説明する。
本体枠３の前枠体１１の後側において、遊技盤装着枠１２よりも下方に位置する前枠体１１の後下部領域の片側（図４に向かって左側）には、発射レール１９の下傾端部の発射位置に送られた遊技球を発射するための発射ハンマー（図示しない）、その発射ハンマーを作動する発射モータ１２８等が取付基板１２９に組み付けられてユニット化された発射装置ユニット１３０が装着されている。また、前枠体１１の後下部領域の略中央部には、電源基板１３１を収容する電源基板ボックス１３２が装着され、その電源基板ボックス１３２の後側に重ね合わされた状態で払出制御基板１３３を収容する払出制御基板ボックス１３４が装着されている。払出制御基板１３３は、遊技球を払い出す数を記憶するＲＡＭを備え、主制御基板９４から送信される払出用信号に従って遊技球を払い出す制御信号を中継用回路基板（図示しない）に伝達して払出用モータ１２６を作動制御するようになっている。
【０１１３】
［後カバー体の構成について］  図４及び図５に基づき説明する。
図５はパチンコ機の後側全体を右上後方から示す斜視図である。
遊技盤５後面に配置された表示装置制御基板ボックス１３５（図６参照）及び主制御基板ボックス９５の後端部は機構装着体１３の中央部に開口された窓開口部に向けて突出している。そして、機構装着体１３の窓開口部の一側壁を構成する側壁部と他側壁を構成する払出装置装着部１１３の片側壁との間には、不透明な合成樹脂材によって略方形の箱形状に形成された後カバー体１３６がカバーヒンジ機構１３７によって開閉並びに着脱可能に装着されている。
【０１１４】
後カバー体１３６は、略四角形状の後壁部１３８と、その後壁部１３８の外周縁から前方に向けて突出された周壁部１３９とから一体に構成されている。後カバー体１３６の周壁部１３９のうち、一側の壁部１３９ａには、機構装着体１３の側壁部の上下及び中間の計３箇所に形成されたヒンジ体１４０のヒンジ孔の上方からそれぞれ着脱可能に嵌込まれるヒンジピン１４１を下向きに有するヒンジ体１４２が一体に形成されている。また、後カバー体１３６の周壁部１３９のうち、他側の壁部１３９ｂには、払出装置装着部１１３の片側壁に形成された係止孔に弾性的に係合可能な係止爪を有する弾性閉止体１４３が一体に形成されている。
【０１１５】
すなわち、後カバー体１３６は、その上下及び中間のヒンジ体１４２の各ヒンジピン１４１が機構装着体１３の側壁部のヒンジ体１４０のヒンジ孔の上方からそれぞれ嵌込まれる。この状態で、ヒンジピン１４１を中心として後カバー体１３６が機構装着体１３の他側に向けて回動されながら、その弾性閉止体１４３を払出装置装着部１１３の片側壁の係止孔に差し込んで弾性的に係合させることで、機構装着体１３の後側に後カバー体１３６が閉じ状態で保持される。そして、後カバー体１３６によって、遊技盤５後面の表示装置制御基板ボックス１３５（図６参照）全体及び主制御基板ボックス９５の略中間部から上端にわたる部分が後カバー体１３６によって覆われるようになっている。これによって、主制御基板ボックス９５の上部に露出された主制御基板９４の基板コネクタ（主として表示装置制御基板と接続するための基板コネクタ）が後方から視認不能に隠蔽されている。
【０１１６】
また、主制御基板ボックス９５の略中間部から下端にわたる部分は後カバー体１３６によって覆われることなく露出されている。そして、主制御基板ボックス９５の下部には、その主制御基板９４上に配置された検査用コネクタ１４４が露出されており、後カバー体１３６が閉じられた状態で主制御基板９４上の検査用コネクタ１４４に基板検査装置（図示しない）を接続して検査可能となっている。
【０１１７】
後カバー体１３６には、多数の放熱孔１４５、１４６、１４７、１４８が貫設されており、これら多数の放熱孔１４５、１４６、１４７、１４８から内部の熱が放出されるようになっている。この実施形態において、後カバー体１３６には、その周壁部１３９から後壁部１３８に延びる多数のスリット状の放熱孔１４５が貫設され、後壁部１３８の略中間高さ位置から上部においては多数の長円形、楕円形等の放熱孔１４６が貫設され、後壁部１３８の下部には多数の長円形、楕円形等の放熱孔１４７と所定数の横長四角形状の放熱孔１４８が貫設されている。
【０１１８】
また、横長四角形状の放熱孔１４８は、主制御基板ボックス９５の封印ねじ（封印部材）によって封印される複数の並列状の封印部１４９の列の大きさ及び配設位置に対応する大きさ及び位置に貫設されている。これによって、不透明な後カバー体１３６が閉じられた状態であっても、主制御基板ボックス９５の複数の並列状の封印部１４９が放熱孔１４８の部分において視認可能に露出される。このため、後カバー体１３６が閉じられた状態であっても、主制御基板ボックス９５の封印部１４９の封印状態を容易に視認することができる。また、不透明な合成樹脂材は、透明な合成樹脂材と比べ、リサイクル使用される合成樹脂材を材料として用いることが容易であるため、後カバー体１３６を安価に製作することができる。
【０１１９】
後カバー体１３６の周壁部１３９のうち、上側壁部１３９ｃの所定位置（この実施形態では左右２箇所）には、電源コード（図示しない）を適宜に折り畳んだ状態で保持する略Ｃ字状でかつ弾性変形可能なコード保持体１５０が上方のタンクレール１１８の後壁面（レール構成部材１１７の後壁面）に向けて延出されている。このコード保持体１５０の先端部には、同コード保持体１５０を弾性変形させて電源コードを取り外すためのつまみが形成されている。
【０１２０】
電源コードは、その一端が分電基板１５１の基板コネクタ１５２に取り外し可能に接続され、他端の電源プラグが電源コンセントに差し込まれる。前記したように、後カバー体１３６にコード保持体１５０を一体に形成して電源コードを保持することで、パチンコ機１を運搬、保管する際に電源コードがぶらついて邪魔になったり、異物に引っ掛かる不具合を防止することができる。
【０１２１】
［本体枠の後側下部の下皿用球誘導体等の構成について］  図１及び図６に基づき説明する。
図６は、図５に示すパチンコ機の斜視図から後カバー体及び各種制御基板等を取り外した状態を示す斜視図である。
本体枠３の後下部領域の他側寄り部分（ヒンジ寄り部分）には、そのスピーカボックス部１６の後段差部の凹み部分において下皿用球誘導体１５３が装着されている。この下皿用球誘導体１５３は、球払出装置１２５の賞球及び貸球用球通路から上皿連絡路（図示しない）を経て上皿５１に払い出された遊技球が満杯になったときに、上皿連絡路の遊技球を下皿３１に導くためのものである。
【０１２２】
なお、この実施形態において、下皿用球誘導体１５３の後壁外面には、インタフェース基板１５４を収納している基板ボックス１５５が装着されている。なお、インタフェース基板１５４は、パチンコ機１に隣接して設置される球貸機と払出制御基板１３３との間に介在され、球貸に関する信号を球貸機と払出制御基板１３３との間で送受信可能に電気的に接続するようになっている。
【０１２３】
また、図１乃至図８は、本発明の実施態様を含む一般的なパチンコ機１の構成を説明するために示したものであり、細部については以下に記載する本発明の構成と異なるものとなっている。
【０１２４】
次に、本発明の一実施形態であるパチンコ機１における特徴的な遊技盤の具体的な構成を、図面に基づいて詳細に説明する。
［遊技盤の構成について］  図９乃至図２０に基づき説明する。
図９は主要な部材により構成された遊技盤を斜め前方から示す斜視図であり、図１０は、図９に示す遊技盤を斜め後方から示す斜視図である。図１１は、遊技盤を縦方向に切断して示す断面図である。図１２は遊技盤を分解して斜め前方から示す分解斜視図であり、図１３は遊技盤を分解して斜め後方から示す分解斜視図である。図１４（Ａ）は前構成部材を斜め前方から示す斜視図であり、（Ｂ）は前構成部材を斜め後方から示す斜視図である。図１５（Ａ）は遊技パネルを斜め前方から示す斜視図であり、（Ｂ）は遊技パネルを斜め後方から示す斜視図である。図１６（Ａ）はパネルホルダを斜め前方から示す斜視図であり、（Ｂ）はパネルホルダを斜め後方から示す斜視図である。図１７（Ａ）はパネル裏板を斜め前方から示す斜視図であり、（Ｂ）はパネル裏板を斜め後方から示す斜視図である。図１８（Ａ）は基板ボックスホルダを斜め前方から示す斜視図であり、（Ｂ）は基板ボックスホルダを斜め後方から示す斜視図である。図１９（Ａ）はパネルホルダとパネル裏板とを分解して示す分解斜視図であり、（Ｂ）はパネルホルダにパネル裏板を組付けた状態で示す組立斜視図である。
【０１２５】
本実施形態の遊技盤５は、図示するように、遊技領域３７と対応する大きさの透明な合成樹脂からなる板状の遊技パネル２００と、遊技パネル２００を着脱可能に嵌合する合成樹脂からなる枠状のパネルホルダ２０２と、パネルホルダ２０２の前側に配置されパネルホルダ２０２と協働して遊技パネル２００を挟持し、遊技領域３７を区画形成すると共に遊技領域３７内に遊技球を案内する案内する外レール７６及び内レール７７からなる案内レール７８を備えた前構成部材７９とを主に備えている。
【０１２６】
また、遊技盤５には、パネルホルダ２０２の後面側で下端から所定高さまでの所定範囲内に配置される板状のパネル裏板２０４と、パネル裏板２０４の後面側に配置されると共に前側及び上側が開放された箱状で後側に主制御基板ボックス９５等を支持可能な基板ボックスホルダ９１と、基板ボックスホルダ９１の後側に支持された主制御基板ボックス９５内の主制御基板９４等と電気的に接続され後方からスライド接続可能とされたドロワコネクタ２０６と、ドロワコネクタ２０６を基板ボックスホルダ９１に支持するドロワコネクタホルダ２０８とを更に備えている（図１０及び図１１等を参照）。
【０１２７】
更に、遊技盤５には、パネルホルダ２０２の後面側に取付固定されると共に遊技パネル２００との間で所定容積の空間を形成可能な枠状箱型の裏箱２１０と、裏箱２１０の後面側に支持され所定の演出画像を表示可能なＬＣＤからなる演出表示装置２１２（本発明の演出表示手段に相当）とを更に備えている（図１１参照）。この演出表示装置２１２は、裏箱２１０の後面側に形成された開口部２１０ａを閉鎖するように裏箱２１０に着脱可能に支持されている。また、演出表示装置２１２は、透明な遊技パネル２００を通して、パチンコ機１の前方から視認できるようになっている。
【０１２８】
なお、この演出表示装置２１２の後側には、演出表示装置２１２等を制御する表示装置制御基板ボックス１３５が取付けられている。また、演出表示装置２１２は、従来のパチンコ機に用いられている演出表示装置と比較して、より大型のもの（例えば、５〜２１インチ）が備えられている。更に、裏箱２１０には、パネルホルダ２０２に取付固定するためのフランジ状の固定部２１０ｂと、固定部２１０ｂから前方に突出する位置決め突起２１０ｃが備えられている。
【０１２９】
この遊技盤５における前構成部材７９は、上述した通り遊技球を案内する外レール７６及び内レール７７とからなる案内レール７８を備えていると共に、外レール７６の上端と内レール７７の下端とを結ぶような円弧状の開口７９ａを備えており、この案内レール７８と開口７９ａとによって正面視略円形状の遊技領域３７が区画形成されるようになっている。そして、この案内レール７９により、図示しない遊技球の発射装置によって発射レール１９に沿って発射された遊技球が、遊技領域３７の上部に案内されるようになっている。
【０１３０】
案内レール７８における外レール７６の下端付近には、下方へ窪んだ凹部７６ａが形成されており、この凹部７６ａは、遊技球の発射速度等の関係により発射された遊技球が案内レール７８から遊技領域３７内に打ち込まれずに、案内レール７８内を逆流した遊技球を収容して上皿５１等に排出するものである。この凹部７６ａにより、案内レール７８内を逆流した遊技球が、発射装置に戻って不具合が発生するのを防止することができるようになっている。
【０１３１】
また、内レールの下端には、前構成部材７９の後側が低くなるように傾斜した傾斜部７９ｂが備えられている。この傾斜部７９ｂは、遊技領域３７内に打ち込まれて遊技領域３７の下端に到達した遊技球を、「死球」としてパチンコ機１から排出するためのアウト口２１４へ誘導するためのものである。
【０１３２】
この前構成部材７９には、図示するように、その後面側に、後方へ突出する複数の位置決め固定ボス７９ｃ及び位置決め突起７９ｄが備えられている。これら位置決め固定ボス７９ｃ及び位置決め突起７９ｄは、詳細は後述するが、後側に配置されるパネルホルダ２０２及び基板ボックスホルダ９１と位置決めできるようになっている。なお、内レール７７の後面側にも位置決め突起７９ｄが複数備えられており、後述する遊技パネル２００の内レール固定孔２００ｄ（図１５参照）に嵌合固定されるようになっている。
【０１３３】
遊技盤５における遊技パネル２００は、図１５にも示すように、その外形が遊技領域３７よりも若干大きい多角形状とされており、アクリル樹脂、ポリカーボネイト樹脂、ポリアリレート樹脂、メタクリル樹脂等の透明な合成樹脂板により形成されている。なお、遊技パネル２００の板厚は、パネルホルダ２０２によりも薄く、図示しない障害釘を植設しても十分に保持可能な必要最低限の厚さ（８〜１０ｍｍ）とされている。
【０１３４】
この遊技パネル２００には、上部の外周近傍に配置され前後方向に貫通する丸孔からなる複数の嵌合孔２００ａと、左右下部の外周近傍に配置され前後方向に貫通し上下方向に延びる長孔２００ｂが夫々備えられている。これら嵌合孔２００ａ及び長孔２００ｂは、遊技領域３７よりも外側に配置されており、パネルホルダ２０２との位置決めを行うものである。
【０１３５】
また、遊技パネル２００には、その上辺の両端と下辺の両端に、前側が窪んだ段状の係合段部２００ｃが夫々備えられている。この係合段部２００ｃは、遊技パネル２００の板厚の略半分を切り欠いた形態とされると共に、嵌合孔２００ａ及び長孔２００ｂと同様に、遊技領域３７によりも外側に配置されており、パネルホルダ２０２と遊技パネル２００とを係合固定するためのものである。
【０１３６】
更に、遊技パネル２００には、所定位置に内レール固定孔２００ｄが複数備えられている。この内レール固定孔２００ｄに内レール７７の後側から突出する位置決め突起７９ｄを嵌合固定させることで、内レール７７を所定の位置に固定することができるようになっている。
【０１３７】
なお、図示は省略するが、遊技パネル２００には、多数の障害釘が所定のゲージ配列をなして植設される他に、適宜位置に風車や、一般入賞口、特別入賞口、始動口、及び中央役物等が備えられるように所定形状の貫通する開口部が形成されるようになっている。
【０１３８】
また、遊技パネル２００を押出し成形された透明な合成樹脂板とした場合、遊技パネル２００の上下方向を押出し方向に対して約４５度傾けた方向となるように材料取りをしても良く、これにより、遊技パネル２００の後方に配置された演出表示装置２１２のドットマトリックスが押出し成形により形成される複数の微細な成形痕と干渉して、モアレが発生するのを可及的に抑制することができ、モアレにより演出表示装置２１２に表示される演出画像が見辛くなるのを防止することができる。
【０１３９】
続いて、遊技盤５におけるパネルホルダ２０２は、正面視において遊技パネル２００を包含する大きさで外形が略四角形状とされ、従来のパチンコ機の遊技盤における木製合板からなる部材（例えば、遊技盤ベース等）の厚さと略同じ厚さ（本例では、約２０ｍｍ）とされた熱可塑性合成樹脂からなるものである。このパネルホルダ２０２には、図１６（Ａ）にも示すように、遊技パネル２００が着脱可能に嵌合し前面側から後方側に向かって凹んだ嵌合段部２０２ａと、嵌合段部２０２ａの内側において略遊技領域３７と同等の大きさで前後方向に貫通する貫通口２０２ｂとを主に備えている。
【０１４０】
パネルホルダ２０２の嵌合段部２０２ａは、前面からの深さが遊技パネル２００の厚さと略同じ深さとされており、嵌合段部２０２ａに嵌合された遊技パネル２００の前面がパネルホルダ２０２の前面と略同一面となるようになっている。また、この嵌合段部２０２ａは、その前側内周面が、図１１に示すように、遊技パネル２００の外周面に対して所定量のクリアランスＣが形成される大きさとされている。このクリアランスＣにより、温度変化や経時変化により相対的に遊技パネル２００が伸縮しても、その伸縮を吸収できるようになっている。なお、クリアランスＣ内にゴム等の弾性部材を詰めても良い。
【０１４１】
また、パネルホルダ２０２には、遊技パネル２００の係合段部２００ｃと対応する位置に、係合段部２００ｃと係合する被係合部が備えられている。詳述すると、この被係合部は、図１１及び図１６（Ａ）に示すように、パネルホルダ２０２下側の嵌合段部２０２ａに配置された被係合部が、遊技パネル２００における下側の係合段部２００ｃと対応し、嵌合段部２０２ａの前面との間に遊技パネルの係合段部２００ｃが挿入可能な大きさの所定の隙間を形成した状態で、パネルホルダ２０２の前面に沿って上側（中心側）に向かって所定量延びる係合突部２０２ｃとされている。一方、パネルホルダ２０２上側の嵌合段部２０２ａに配置された被係合部は、遊技パネル２００における上側の係合段部２００ｃと対応し、嵌合段部２０２ａの前面から前方に向かって突出し係合段部２００ｃと弾性係合する係合爪部２０２ｄとされている。この係合爪部２０２ｄは、その先端がパネルホルダ２０２の前面から突出しない大きさとされている。これら係合突部２０２ｃ及び係合爪部２０２ｄに遊技パネル２００の係合段部２００ｃを係合させることで、パネルホルダ２０２は、遊技パネル２００を着脱可能に保持することができるようになっている。
【０１４２】
更に、パネルホルダ２０２には、嵌合段部２０２ａに嵌合支持される遊技パネル２００に形成された嵌合孔２００ａ及び長孔２００ｂと対応する位置に配置され、嵌合段部２０２ａの前面から前方に向かって延び、遊技パネル２００の嵌合孔２００ａ及び長孔２００ｂに嵌合及び挿通可能な複数の突出ピン２０２ｅを備えている。これらの突出ピン２０２ｅを遊技パネル２００の嵌合孔２００ａ及び長孔２００ｂに嵌合及び挿通することで、パネルホルダ２０２と遊技パネル２００とを互いに位置決めすることができるようになっている。
【０１４３】
また、パネルホルダ２０２には、前構成部材７９に備えられた位置決めボス７９ｃを挿通可能な前後方向に貫通するボス挿通孔２０２ｆを備えており、このボス挿通孔２０２ｆに前構成部材７９の位置決めボス７９ｃを挿通することで、パネルホルダ２０２と前構成部材７９とが互いに位置決めされるようになっている。
【０１４４】
このパネルホルダ２０２には、図１６（Ｂ）にも示すように、その後面側に、上下方向の中央やや下方より下側と外周縁を残すように前側に所定量窪んだ形態の取付支持部２０２ｇが備えられている。パネルホルダ２０２の後面は、取付支持部２０２ｇにより、下端より所定高さまでの所定範囲より上側で、後面側外周部が後方に突出したような状態で窪んだ形態となると共に、その窪み量（深さ）が、取付支持部２０２ｇに取付固定される裏箱２１０等の所定部材のフランジ状の固定部２１０ｂを収容できる深さ（本例では、約２．５ｍｍとされており、１〜３ｍｍの間とすることが望ましい）とされている（図１１参照）。この取付支持部２０２ｇに所定の部材を取付固定することで、その固定部がパネルホルダ２０２よりも後側に突出するのを防止することができ、パネルホルダ２０２すなわち遊技盤５をパチンコ機１の遊技盤装着枠１２に確実に装着できるようになっている。
【０１４５】
また、パネルホルダ２０２の後面側には、下端より所定高さまでの所定範囲内で取付支持部２０２ｇが形成された位置より下側に形成され、前側に向かって窪みパネル裏体２０４を収容可能な収容凹部２０２ｈと、この収容凹部２０２ｈ内に前後方向に貫通するように配置されパネル裏板２０４に形成された係止爪２０４ｃを係止可能な係止部２０２ｉとを更に備えている。この収容凹部２０２ｈは、パネル裏板２０４の係止爪２０４ｃを係止部２０２ｉに係止させることでパネル裏板２０４を着脱可能に収容すると共に、収容されたパネル裏板２０４の後面が、パネルホルダ２０２の後面と略同一面となるように形成されている。
【０１４６】
更に、パネルホルダ２０２には、図示するように、後面側の取付支持部２０２ｇ内及び収容凹部２０２ｈよりも上側に配置され所定のビスのとしての小径な第一ビス２１６（図１１参照）を螺合可能な複数の第一取付孔２０２ｊと、第一取付孔２０２ｊに螺合される第一ビス２１６よりも大径の第二ビス（図示せず）が螺合可能とされ取付支持部２０２ｇ内の上側に配置される複数の第二取付孔２０２ｋとが夫々所定配列で配置されている。なお、本例では、第一ビス２１６及び第二ビスのネジ部の径が、夫々約２．１ｍｍ及び約３ｍｍとされており、第一取付孔２０２ｊ及び第二取付孔２０２ｋの径が、これら第一ビス２１６及び第二ビスを螺合可能な径とされている。
【０１４７】
また、パネルホルダ２０２には、第一取付孔２０２ｊ及び第二取付孔２０２ｋと対応するように配置される複数の位置決め孔２０２ｌが備えられている。この位置決め孔２０２ｌは、第一取付孔２０２ｊや第二取付孔２０２ｋを用いて取付固定される部材に形成された位置決め突起（例えば、裏箱２１０の固定部２１０ｂに形成された位置決め突起２１０ｃ）が挿入されるものである（図１１参照）。なお、本例では、位置決め孔２０２ｌは、背面視略矩形状の止り孔とされている。
【０１４８】
更に、パネルホルダ２０２には、少なくとも下端から所定高さまでの所定範囲では後面側に開口する複数の肉抜き部２０２ｍが形成されており、肉抜き部２０２ｍによりパネルホルダ２０２の重量が軽減されるようになっている。図１６（Ａ）にも示すように、収容凹部２０２ｈの前側、つまり、パネルホルダ２０２の膳面側の下端から所定高さまでの所定範囲内には、これらの肉抜き部２０２ｍが形成されておらず、その範囲内では、パネルホルダ２０２の前面が略平らな面となるようになっているので、その前面に配置される前構成部材７９の案内レール７８の後面が略平らな面となり、遊技球発射装置から発射された遊技球が、案内レール７８内を滑らかに案内されるようになっている。また、このパネルホルダ２０２は、図示するように、肉抜き部２０２ｍが形成されることで、第一取付孔２０２ｊや第二取付孔２０２ｋ等がボス状に形成されると共に、それらを支持したりパネルホルダ２０２の強度を維持したりするために、格子状のリブが形成された状態となっている。
【０１４９】
なお、このパネルホルダ２０２には、既存の障害釘植設装置（図示しない）や、組立治具等の位置決め手段に対応した位置決め部２０２ｎが形成されており、障害釘植設装置に遊技パネル２００を保持した状態でセットできるようになっている。また、パネルホルダ２０２の下部には、前構成部材７９の傾斜部７９ｂと連通するアウト口２１４と、前構成部材７９における案内レール７８の凹部７６ａと連通する連通孔２０２ｏが更に備えられている。
【０１５０】
また、本例の遊技パネル２００及びパネルホルダ２０２が、本発明の遊技盤ベースに相当している。つまり、本例では、遊技盤ベースを、遊技パネル２００とパネルホルダ２０２とに分割された構造のものを採用している。
【０１５１】
次に、遊技盤５のパネル裏板２０４は、パネルホルダ２０２の後面側で下端から所定高さまでの所定範囲内の肉抜き部２０２ｍを覆うように配置されると共に、パネルホルダ２０２の収容凹部２０２ｈに後面同士が略同一面となるように収容可能とされ、図１７にも示すように、平面状の後面に所定配列で配置され第一ビス２１６を螺合可能な複数のビス孔２０４ａと、ビス孔２０４ａと対応するように配置される複数の位置決め孔２０４ｂと、パネルホルダ２０２の係止部２０２ｉに係止可能な係止爪２０４ｃと、前面側から貫通しないように陥没する減量用の凹陥部２０４ｄとを備えている。
【０１５２】
なお、このパネル裏板２０４におけるビス孔２０４ａ及び位置決め孔２０４ｂは、パネルホルダ２０２における第一取付孔２０２ｊ及び位置決め孔２０２ｌと略同じ構成とされている。また、このパネル裏板２０４もパネルホルダ２０２と同様に、凹陥部２０４ｄにより、ビス孔２０４ａ及び位置決め孔２０４ｂ等が形成された部分がボス状に形成されると共に、それらを支持したりパネル裏板２０４の強度を維持したりするために、格子状のリブが形成された状態となっている。更に、パネル裏板２０４には、パネルホルダ２０２のアウト口２１４、連通孔２０２ｏ、及びボス挿通孔２０２ｆと対応した位置に前後方向に貫通する開口２０４ｅが備えられている。
【０１５３】
このパネル裏板２０４は、図１９に示すように、パネルホルダ２０２の収容凹部２０２ｈに収容させると共に、パネル裏板２０４の係止爪２０４ｃをパネルホルダ２０２の係止部２０２ｉに係止させることで、パネルホルダ２０２と一体となり、その状態では、同図（Ｂ）に示すように、パネル裏板２０４の後面が、パネルホルダ２０２の後面と略同一面となる。このようにパネルホルダ２０２とパネル裏板２０４とを一体化することで、パネルホルダ２０４の後面側には、貫通口２０２ｂの外周側で略全周に亘って所定配列で第一取付孔２０２ｊ、第二取付孔２０２ｋ、ビス孔２０４ａ等からなる取付孔と、位置決め孔２０２ｌ及び２０４ｂが配置されることとなり、それら取付孔の存在により、所定の部材を任意の位置に取付固定できるようになっている。
【０１５４】
遊技盤５における基板ボックスホルダ９１は、図１８に拡大して示すように、パネル裏板２０４の後面側に配置されると共に前側及び上側が開放された箱状とされ、遊技球が通過可能な大きさで遊技媒体排出口としての遊技球排出口９１ａを有し上面が遊技球排出口９１ａに向かって低くなるように傾斜した底板９１ｂと、パネル裏板２０４の後面側との間に所定量の隙間が形成される逃し部９１ｃと、後側に配置され主制御基板９４を有した主制御基板ボックス９５等を装着支持可能なボックス装着部９１ｄとを備えている。
【０１５５】
この基板ボックスホルダ９１は、遊技領域３７内に打ち込まれた遊技球を収集して遊技球排出口９１ａから下方へ排出することができるようになっている。また、基板ボックスホルダ９１の逃し部９１ｃは、パネルホルダ２０２の取付支持部２０２ｇと同様に、パネル裏板２０４に取付固定された部材（図示しない）におけるフランジ状の固定部を収容できる深さ（本例では、約１ｍｍとされており、０．５〜３ｍｍの間とすることが望ましい）とされている。なお、この基板ボックスホルダ９１は、本発明における基板ボックス保持部材に相当している。
【０１５６】
また、基板ボックスホルダ９１には、その前面側の所定位置に、前構成部材７９の位置決めボス７９ｃと嵌合する筒状の固定ボス９１ｅを備えており、この固定ボス９１ｅを、前構成部材７９との間にホルダパネル２０２を挟んだ状態で、前構成部材７９の位置決めボス７９ｃと嵌合させると共に、基板ボックスホルダ９１の後方から固定ボス９１ｅを貫通する貫通孔９１ｆを通して所定のビスを前構成部材７９の位置決めボス７９ｃにねじ込むことで、前構成部材７９、パネルホルダ２０２、及び基板ボックスホルダ９１を固定できるようになっている。
【０１５７】
更に、この基板ボックスホルダ９１には、図１８（Ａ）にも示すように、その前面下部に、前構成部材７９の凹部７６ａと連通する開口受部９１ｇを備えている。この開口受部９１ｇは、遊技球排出口９１ａとは異なる位置で基板ボックスホルダ９１の下側に遊技球を誘導できるようになっており、基板ボックスホルダ９１内部に受けられた「死球」と、遊技球を遊技領域３７内へ打ち込む際に、打ち損じた遊技球とを区別できるようになっている。
【０１５８】
なお、本例では、前構成部材７９の一部を除き、遊技パネル２００、パネルホルダ２０２、パネル裏板２０４、及び基板ボックスホルダ９１が、熱可塑性合成樹脂により形成されており、それらの部材がリサイクルできるようになっている。なお、合成樹脂としては、アクリル樹脂、ポリカーボネート樹脂、ＡＢＳ樹脂、ポリプロピレン、ポリアリレート樹脂、メタクリル樹脂、等とすることができ、熱可塑性合成樹脂の他に、機能や用途に応じて適宜熱硬化性合成樹脂を用いても良い。また、遊技パネル２００以外に、前構成部材７９やパネルホルダ２０２、及びパネル裏板２０４等にも、透明な合成樹脂を用いても良い。
【０１５９】
［遊技盤における主制御基板ボックスの固定構造について］  図２０乃至図２４に基づき説明する。
図２０は、遊技盤に固定された主制御基板ボックスを拡大して示す背面図である。図２１は、図２０に示したものを斜め下側から示す斜視図である。図２２は、図２０におけるＡ−Ａ断面図である。図２３は、図２１において主制御基板ボックスを外した状態で示す斜視図である。図２４は、図２１における分解斜視図である。
【０１６０】
本実施形態における主制御基板９４を収納した主制御基板ボックス９５の基板ボックスホルダ９１への固定構造について、基板ボックスホルダ９１及び主制御基板ボックス９５等の具体的な構成を詳細に説明する。まず、基板ボックスホルダ９１は、図２４に示すように、その後面側に主制御基板ボックス９５を装着するボックス装着部９１ｄと、ボックス装着部９１ｄの左右方向一方の端部（図２４中左側）に配置されボックス装着部９１ｄの面略沿うように左右方向他方の端部に向かって開口する係合開口部９１ｈと、ボックス装着部９１ｄの左右方向他方の端部（図２４中右側）に配置され後方側が開口する係合係止部９１ｉとが更に備えられている。なお、係合開口部９１ｈは、図１８に示すように箱状に形成されている。
【０１６１】
一方、主制御基板ボックス９５には、左右方向一方の端部（図２４中左側端部）に配置され外方に突出し基板ボックスホルダ９１の係合開口部９１ｈ内に係合挿入可能な係合突出片９５ａと、係合突出片９５ａとは反対側の端部に配置され基板ボックスホルダ９１の係合係止部９１ｉと係合係止可能な弾性係合片９５ｂとが備えられている。
【０１６２】
本例の主制御基板ボックス９５は、係合突出片９５ａを基板ボックスホルダ９１の係合開口部９１ｈ内に挿入した上で、弾性係合片９５ｂを基板ボックスホルダ９１の係合係止部９１ｉと係合係止させることで、基板ボックスホルダ９１のボックス装着部９１ｄに装着支持されるようになっていると共に、弾性係合片９５ｂを弾性変形させることで、係合係止部９１ｉとの係合を解除できボックス装着部９１ｄから離脱させることができるようになっている。つまり、主制御基板ボックス９５が、基板ボックスホルダ９１に、着脱自在に装着支持されている。
【０１６３】
この主制御基板ボックス９５は、背面が基板ボックスホルダ９１のボックス装着部９１ｄと接し後方に開口した開口部から遊技盤５の遊技領域３７内へ打ち込まれた遊技球を契機として所定の遊技制御を行うための主制御基板９４を収納するボックス本体９６と、ボックス本体の開口部を閉鎖するボックスカバー９７とから構成されている。これらボックス本体９６及びボックスカバー９７は、透明な合成樹脂（例えば、ポリカーボネート樹脂など）により形成されており、内部に収納された主制御基板９４が外部から視認できるようになっている。
【０１６４】
なお、上述した主制御基板ボックス９５の係合突出片９５ａ及び弾性係合片９５ｂは、本例ではボックス本体９６側に形成されている。
【０１６５】
ところで、図２４等に示すように、本例では、基板ボックスホルダ９１と主制御基板ボックス９５との間に、金属板からなる中間部材２２０が配置されている。この中間部材２２０は、基板ボックスホルダ９１のボックス装着部９１ｄに固定するための固定部２２０ａを複数（本例では２箇所）備えており、後方側からビス等の所定の固定部材２２２によってボックス装着部９１ｄに固定されるようになっている。
【０１６６】
この中間部材２２０は、図２０及び図２１に示すように、基板ボックスホルダ９１のボックス装着部９１ｄに主制御基板ボックス９５が装着されることで、その固定部２２０ａも含めて、後側から略視認不能、つまり、隠蔽されるようになっており、主制御基板ボックス９５を基板ボックスホルダ９１に装着した状態では、中間部材２２０を基板ボックスホルダ９１から取外すことができないようになっている。
【０１６７】
また、中間部材２２０は、基板ボックスホルダ９１におけるボックス装着部９１ｄに形成された凹段部９１ｊ内に嵌め込まれるようになっており、中間部材２２０が凹段部９１ｊに嵌め込まれることで、中間部材２２０の後面と、ボックス装着部９１ｄの一般面（後面）とが略一致した面となるようになっている（図２３参照）。
【０１６８】
本例では、主制御基板ボックス９５内に収納された主制御基板９４に対して、主制御基板ボックス９５を開いてＲＯＭの交換等の不正行為が行われるのを防止するために、主制御基板ボックス９５のボックス本体９６とボックスカバー９７とを封止する第一封止手段１００と、主制御基板ボックス９５を基板ボックスホルダ９１から取外して不正な主制御基板を有した主制御基板ボックスに交換されるのを防止するために、基板ボックスホルダ９１（中間部材２２０）と主制御基板ボックス９５とを封止する第二封止手段１０２とが備えられている。
【０１６９】
まず、第一封止手段１００は、図２２に示すように、ボックスカバー９７に形成された第一封止部１００ａと、第一封止部１００ａと対向するようにボックス本体９６に形成された第一封止受部１００ｂと、第一封止受部１００ｂと第一封止部１００ａとをボックスカバー９７側から封止結合する封止部材１０１とを備えており、第一封止部１００ａと第一封止受部１００ｂとで第一封止ブロック１００ｃが構成されている。本例の第一封止手段１００は、第一封止ブロック１００ｃが四つ連続して備えられている。
【０１７０】
ボックスカバー９７側の第一封止部１００ａは、表面側に開口すると共に内周が矩形状で表面から第一封止受部１００ｂと対向する裏面近傍まで延びる角孔９７ａと、角孔９７ａの底部から裏面まで貫通する貫通孔９７ｂとを備えている。一方、ボックス本体９６側の第一封止受部１００ｂは、第一封止部１００ａの貫通孔９７ｂと略同径の貫通孔９６ａを備えている。
【０１７１】
また、封止部材１０１は、封印ネジ１０１ａと、封印ネジ１０１ａが螺合され第一封止部１００ａ側から第一封止部１００ａの貫通孔９７ｂと第一封止受部１００ｂの貫通孔９６ａとを貫通するように配置される封印部材１０１ｂとを備えている。この封印部材１０１ｂは、第一封止部１００ａの角孔９７ａと略一致する角型の頭部１０１ｃと、頭部１０１ｃから延出し外径が貫通孔９７ｂ，９６ａと略同径の延出部１０１ｄと、封印部材１０１ｂを軸方向に貫通し頭部１０１ｃ側が封印ネジ１０１ａと螺合可能なネジ部１０１ｅとされると共に残りの部分がネジ部１０１ｅよりも小径な縮径部１０１ｆとされたネジ孔１０１ｇとを備えている。
【０１７２】
なお、図中１０４は、第一封止部１００ａの角孔９７ａ内に嵌合され、封印ネジ１０１ａを回転操作不能にするためのキャップである。
【０１７３】
この第一封止手段１００は、図示するように、四つの第一封止ブロック１００ｃからなっており、各第一封止ブロック１００ｃは、主制御基板ボックス９５の側面に沿って、上下方向に列設されている。この第一封止手段１００における各第一封止ブロック１００ｃの第一封止部１００ａは、各第一封止部１００ａ同士及びボックスカバー９７の端部とが薄肉の第一接続部９７ｃを介して夫々接続されており、各第一封止部１００ａが第一接続部９７ｃと共にボックスカバー９７と一体形成されている。このボックスカバー９７には、第一封止ブロック１００ｃとボックスカバー９７の端部との間の第一接続部９７ｃで、且つ、各第一封止ブロック１００ｃの間に、後方に突出する三角形状の解封削除部９７ｄが備えられている。この解封削除部９７ｄは、所定の切断工具により削除することで、三角形状の貫通孔が形成されるようになっている。
【０１７４】
また、各第一封止ブロック１００ｃの第一封止受部１００ｂは、各第一封止受部１００ｂ同士及びボックス本体９６の端部とが薄肉の本体側接続部９６ｂを介して夫々接続されており、各第一封止受部１００ｂが本体側接続部９６ｂと共にボックス本体９６と一体に形成されている。なお、図示は省略するが、本例では、第一封止手段１００が配置された部位で、ボックス本体９６とボックスカバー９７との間に、複数のキャップ１０４が挟持収容されている。
【０１７５】
次に、この第一封止手段１００によるボックス本体９６とボックスカバー９７との封印は、図示するように、まず、ボックスカバー９７とボックス本体９６とを合わせた状態、つまり、第一封止部１００ａと第一封止受部１００ｂとを互いに対向当接させた状態で、第一封止部１００ａの角孔９７ａ内に、封印部材１０１ｂを延出部１０１ｄ側から第一封止部１００ａの貫通孔９７ｂ及び第一封止受部１００ｂの貫通孔９６ａを貫通するように挿入し、ボックスカバー９７の表面側から封印部材１０１ｂのネジ部ｅに封印ネジ１０１ａを螺合する。なお、本例では、上述の状態とされた封止部材１０１が、夫々の第一封止ブロック１００ｃに予め配置されている。
【０１７６】
この状態で、封印ネジ１０１ａを封印部材１０１ｂに更にねじ込むことで、封印ネジ１０１ａが封印部材１０１ｂの縮径部１０１ｆに到達し、封印ネジ１０１ａによって縮径部１０１ｆが押し広げられることで延出部１０１ｄの外形が末広がりの状態となって、延出部１０１ｄの外周面が第一封止受部１００ｂの貫通孔９６ａの内周面に圧接されカシメられたような状態となると共に、延出部１０１ｄの先端側が貫通孔９６ａよりも大径となることで封印部材１０１ｂが第一封止部１００ａ側に移動できなくなる。これにより、封印部材１０１によって第一封止部１００ａと第一封止受部１００ｂとが互いに封止結合され、ボックス本体９６とボックスカバー９７とが封止された状態となる。
【０１７７】
その後、封印部材１０１ｂによって封止した第一封止ブロック１００ｃの角孔９７ａに、キャップ１０４を嵌合させることで、封印ネジ１０１ａを外部から回転させることができなくなり、封印ネジ１０１ａを逆転させて不正に開封されるのを防止することができるようになっている。
【０１７８】
一方、第一封止手段１００を解封する場合は、まず、封止された第一封止ブロック１００ｃに近い解封削除部９７ｄを所定の工具で削除し、三角形の貫通孔を開口させる。そして、開口した貫通孔に所定の工具を挿入し、封止された第一封止ブロック１００ｃと主制御基板ボックス９５とを接続するボックスカバー９７の第一接続部９７ｃを切断することで、封止された第一封止ブロック１００ｃの第一封止部１００ａをボックスカバー９７から切り離すことで第一封止ブロック１００ｃの封止が開封されると共に、ボックス本体９６側には切り離されたボックスカバー９７側の第一封止部１００ａが残ることなり、主制御基板ボックス９５に対する解封痕が残ることとなる。なお、第一接続部９７ｃを切断する際に、ボックス本体９６の本体側接続部９６ｂも同時に切断して、封止された第一封止ブロック１００ｃごと切り離して解封するようにしても良い。
【０１７９】
続いて、第二封止手段１０２は、基本的には上述の第一封止手段１００と同様の構成ではあるが、ボックスカバー９７に形成された第二封止部１０２ａと、第二封止部１０２ａと対向するように中間部材２２０に形成された第二封止受部１０２ｂと、第二封止受部１０２ｂと第二封止部１０２ａとをボックスカバー９７側から封止結合し第一封止手段１００と同様の封止部材１０１とを備えており、第二封止部１０２ａと第二封止受部１０２ｂとで第二封止ブロック１０２ｃが構成されている。なお、本例では、第二封止手段１０２の第二封止ブロック１０２ｃが、第一封止ブロック１００ｃと同数備えられている。
【０１８０】
ボックスカバー９７側の第二封止部１０２ａは、表面側に開口すると共に内周が矩形状で表面から貫通するように形成された角孔９７ｅと、角孔９７ｅ内で裏面から若干表面側に寄った位置に配置され角孔９７ｅよりも小径の貫通孔９７ｆとを備えている。この第二封止部１０２ａは、本例では四つ備えられており、それらが、第一封止部１００ａと略同列となるように、ボックスカバー９７の側面に沿って上下方向に列設されていると共に、各第二封止部１０２ａ同士及びボックスカバー９７の端部とが薄肉板状の第二接続部９７ｇによって夫々接続されている。これらの第二封止部１０２ａは、各第二接続部９７ｇと共にボックスカバー９７と一体形成されている。
【０１８１】
一方、中間部材２２０側の第二封止受部１０２ｂは、第二封止部１０２ａと対向する面が、ボックス本体９６の第一封止受部１００ｂの表面の延長面と略同一面（本例では、若干基板ボックスホルダ９１側に寄っている）となるように板金を箱状に屈曲形成した上で、その上面を貫通するように第二封止部１０２ａの貫通孔９７ｆと略同径の貫通孔２２０ｂを備えている。
【０１８２】
次に、この第二封止手段１０２によるボックスカバー９７と中間部材２２０との封止は、上述した第一封止手段１００によるボックス本体９６とボックスカバー９７との封止と同様であり、ボックスカバー９７における第二封止部の角孔９７ｅからその貫通孔９７ｆ及び中間部材２２０における第二封止受部１０２ｂの貫通孔２２０ｂを貫通するように挿通した封印部材１０１ｂに、ボックスカバー９７側から封印ネジ１０１ａをそのネジ孔１０１ｇにねじ込むことで、封止部材１０１ｂの延出部１０１ｄ先端が拡開し、第二封止部１０２ａと第二封止受部１０２ｂとが封止部材１０１によって封止結合される。その後、角孔９７ｅにキャップ１０４を嵌合させることで、封印ネジ１０１ａを逆転させて不正解封されるのを防止する。
【０１８３】
一方、第二封止手段１０２を解封する場合は、封止部材１０１によって封止結合された第二封止ブロック１０２ｃの第二封止部１０２ａを接続する第二接続部９７ｇを、所定の工具によって切断して切り離すことで、第二封止手段１０２が解封されると共に、切り離された第二封止部１０２ａが第二封止ブロック１０２ｃごと中間部材２２０に結合された状態で残ることとなり、解封の痕跡が残るようになっている。
【０１８４】
なお、第二封止手段１０２においても、第一封止手段１００と同様に、各第二封止ブロック１０２ｃに、封止部材１０１を予め挿入配置させておくようにしても良い。また、中間部材２２０の第二封止受部１０２ｂを、板金を屈曲形成した箱状としているので、図２１に示すように、貫通孔２２０ｂを通過した封止部材１０１の延出部１０１ｄが外部に露出しないようになっており、外部から拡開した延出部１０１ｄを切断して、不正に開封されるのを防止できるようになっている。
【０１８５】
このように、本実施形態のパチンコ機１によると、故障等により主制御基板ボックス９５ごと主制御基板９４を交換する場合、基板ボックスホルダ９１に固定された主制御基板ボックス９５が中間部材２２０に封止されているので、まず、第二封止手段１０２を解封して主制御基板ボックス９５を基板ボックスホルダ９１から取外すと共に、解封の痕跡が残る中間部材２２０を基板ボックスホルダ９１から取外した上で、新しい中間部材２２０を基板ボックスホルダ９１に固定し、更にその上から正規の主制御基板９４を収納した新しい主制御基板ボックス９５を基板ボックスホルダ９１に固定すると共に、第二封止手段１０２により主制御基板ボックス９５と中間部材２２０とを封止することで、解封の痕跡を残すことなく主制御基板９４（主制御基板ボックス９５）を交換修理することができると同時に、大きな基板ボックスホルダ９１を交換する必要がなく比較的小さな中間部材２２０を交換するようにしており、小型の部材つまりコストの安い部材を交換すると共に、交換修理する際に用意すべき部品点数を少なくすることができるので、交換修理にかかる手間とコストを低減させることができ、主制御基板ボックス９５全体を封止して不正行為を防止しつつ、正規に主制御基板９４を交換する場合に大きな負担がなく交換できる。
【０１８６】
また、不正な主制御基板９４やＲＯＭに交換する不正行為を行おうとしても、第一封止手段１００及び第二封止手段１０２を開封しなければならず、各封止手段１００，１０２に解封の痕跡が明確に残り検査などの際に容易に不正行為を発見することができるようになっているので、不正行為に対する抑止力が高く、不正行為が行われるのを防止することができる。
【０１８７】
更に、主制御基板９４のＲＯＭを交換するためには、主制御基板ボックス９５のボックスカバー９７を開ける必要があるが、ボックスカバー９７が、第一封止部材１００によりボックス本体９６と封止されていると共に第二封止部材１０２により中間部材２２０と封止されており、両方の封止部材１０１を解封しなければならず、解封に手間がかかると同時に、第一封止手段１００及び第二封止手段１０２の両方に解封の痕跡が残るので、不正行為を思いとどまらせることができ、確実に不正行為を防止することができる。
【０１８８】
また、第二封止受部１０２ｂが、第一封止受部１００ｂと略同じ高さとされており、ボックスカバー９７に形成される第一封止部１００ａと第二封止部１０２ａとを略同じ大きさとすることができ、第二封止部１０２ａのみが中間部材２２０側に大きく突出することがないので、ボックスカバー９７の第二封止部１０２ａが大きくなるのを防止することができ、第一封止手段１００及び第二封止手段１０２をコンパクトに備えることができる。
【０１８９】
また、第一封止ブロック１００ｃ及び第二封止ブロック１０２ｃが夫々複数備えられているので、初めに、各封止ブロック１００ｃ，１０２ｃの一つを封止部材１０１により封止した状態とし、検査の際に解封する時は、その封止された封止ブロック１００ｃ，１０２ｃを解封して検査を行い、検査後に主制御基板ボックス９５を封止する際には、使用していない次の第一封止ブロック１００ｃを封止部材１０１により封止することで、主制御基板ボックス９５を新しいものと交換することなく、検査後も確実に封止することができ、解封検査によりコストが増加するのを防止することができると共に、備えられた複数の封止ブロック１００ｃ，１０２ｃの数だけ複数回の解封検査に対応させることができる。
【０１９０】
また、主制御基板ボックス９５を中間部材２２０ごと基板ボックスホルダ９１から取外そうとしても、中間部材２２０を基板ボックスホルダ９１に固定する固定部２２０ａが、主制御基板ボックス９５により隠蔽された位置に配置されているので、基板ボックスホルダ９１に固定する固定部材２２２を外すことができず、主制御基板ボックス９５を中間部材２２０ごと外されるのを防止することができると共に、主制御基板ボックス９５を中間部材２２０ごと外して不正な主制御基板ボックス９５に交換するような不正行為を防止することができる。
【０１９１】
また、主制御基板ボックス９５を透明な合成樹脂によって形成しており、主制御基板ボックス９５内に収納された主制御基板９４を外部から視認することができるので、封止手段１００，１０２を開封することなく主制御基板ボックス９５の外部から、不正ＲＯＭの交換等の不正行為が主制御基板９４に対して行われている否かを検査することができ、検査にかかる手間を簡略化することができると共に、不正ＲＯＭ等に交換すると外部から視認できるので不正行為を抑止することができる。
【０１９２】
更に、主制御基板９４の故障によって交換修理する際に交換され中間部材２２０が金属製とされているので、容易にリサイクルすることができ、廃棄処分にかかるコストや環境負荷等を低減させることができる。また、中間部材２２０を金属製としているので、少なくとも第二封止手段１０２の第二封止受部１０２ｂが金属により構成され合成樹脂と比較して強度及び硬度等を高くすることが可能となり、第二封止手段１０２の封止をより解封し難くすることができ、不正な解封を防止することができる。
【０１９３】
また、主制御基板ボックス９５内の主制御基板９４と略平行に配置される中間部材２２０を金属製としているので、電磁波等を遮断したり吸収したりするシールド板としての機能を中間部材２２０に付与することが可能となり、中間部材２２０によって主制御基板９４をノイズ等から保護して主制御基板９４が誤作動するのを防止することができる。
【０１９４】
更に、基板ボックスホルダ９１を遊技盤５の後面側に支持すると共に、基板ボックスホルダ９１に遊技領域３７から排出される遊技球を収集して下方へ排出する遊技球排出口９１ａを備えるようにしており、基板ボックスホルダ９１によって遊技領域３７から排出された遊技球を収集して遊技媒球排出口９１ａから排出することができるので、遊技球を収集排出するための部材を別途用意する必要がなく、部品点数を削減してコストが増加するのを抑制することができる。
【０１９５】
また、遊技領域３７内の何れの位置に各種入賞口やアウト口２１４等が配置されていても、それら入賞口等に受入れられることで遊技パネル２００の後方側に誘導されて排出される遊技球を基板ボックスホルダ９１により収集して、所定位置に配置された遊技球排出口９１ａから排出させることができる。つまり、入賞口等を遊技領域３７の何れの位置に配置しても遊技球を確実に排出することができるので、パチンコ機１の機種を変更して入賞口等の位置が変化しても、基板ボックスホルダ９１を変更することなく遊技球を確実に排出させることができ、基板ボックスホルダ９１を共通パーツとすることが可能となり、パチンコ機１にかかるコストが増加するのを抑制することができる。
【０１９６】
更に、基板ボックスホルダ９１に遊技領域３７から排出さた遊技球を収集して排出する機能を備えるようにしており、収集される遊技球の重量や収集の際の衝撃に耐え得るように蓋然的に基板ボックスホルダ９１の剛性が高くなると共に、遊技盤５（パネルホルダ２０２）へしっかり固定されるようになるので、遊技盤５から基板ボックスホルダ９１が外し難くなり、基板ボックスホルダ９１ごと主制御基板ボックス９５が外されるのを防止して、不正行為が行われるのを抑止することができる。
【０１９７】
また、基板ボックスホルダ９１の後面側に、主制御基板ボックス９５のボックス本体９６を装着固定するボックス装着部９１ｄを備えるようにしており、遊技盤５の前後方向において、前から基板ボックスホルダ９１、中間部材２２０、ボックス本体９６、主制御基板９４、ボックスカバー９７の順となり、主制御基板９４を収納した主制御基板ボックス９５が最も後に配置されるので、パチンコ機１の後側から主制御基板ボックス９５を容易に視認することができ、主制御基板９４や主制御基板ボックス９５の検査をし易くすることができる。
【０１９８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０１９９】
すなわち、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
【０２００】
また、本実施形態では、遊技盤ベースとして、遊技パネル２００とパネルホルダ２０２とに分離可能としたものを示したが、遊技パネルとパネルホルダとが一体成形された遊技盤ベースとしても良く、上記と略同様の作用効果を奏することができる。
【０２０１】
更に、本実施形態では、透明な遊技パネル２００を通して後方に配置した演出表示装置２１２が遊技者から視認可能となるものを示したが、例えば、遊技パネル２００に枠状の中央役物を固定する開口を形成し、その開口を通して後方に配置された演出表示装置が視認できるようにしても良い。また、演出表示装置２１２を支持する裏箱２１０内に、可動役物や、可動する可動装飾体等を配置するようにしても良く、遊技者の興趣を更に高められるパチンコ機１とすることができる。
【図面の簡単な説明】
【０２０２】
【図１】パチンコ機の前側全体を示す正面図である。
【図２】パチンコ機の外枠の一側に本体枠が開かれ、その本体枠の一側に更に前面枠が開かれた状態を示す斜視図である。
【図３】パチンコ機の本体枠と遊技盤とを分離して斜め右上前方から示す斜視図である。
【図４】パチンコ機の後側全体を示す背面図である。
【図５】パチンコ機の後側全体を右上後方から示す斜視図である。
【図６】図５に示すパチンコ機の斜視図から後カバー体及び各種制御基板等を取り外した状態を示す斜視図である。
【図７】パチンコ機の本体枠に各種部材が組み付けられた状態を斜め右上後方から示す斜視図である。
【図８】本体枠単体を斜め右上後方から示す斜視図である。
【図９】主要な部材により構成された遊技盤を斜め前方から示す斜視図である。
【図１０】図９に示す遊技盤を斜め後方から示す斜視図である。
【図１１】遊技盤を縦方向に切断して示す断面図である。
【図１２】遊技盤を分解して斜め前方から示す分解斜視図である。
【図１３】遊技盤を分解して斜め後方から示す分解斜視図である。
【図１４】（Ａ）は前構成部材を斜め前方から示す斜視図であり、（Ｂ）は前構成部材を斜め後方から示す斜視図である。
【図１５】（Ａ）は遊技パネルを斜め前方から示す斜視図であり、（Ｂ）は遊技パネルを斜め後方から示す斜視図である。
【図１６】（Ａ）はパネルホルダを斜め前方から示す斜視図であり、（Ｂ）はパネルホルダを斜め後方から示す斜視図である。
【図１７】（Ａ）はパネル裏板を斜め前方から示す斜視図であり、（Ｂ）はパネル裏板を斜め後方から示す斜視図である。
【図１８】（Ａ）は基板ボックスホルダを斜め前方から示す斜視図であり、（Ｂ）は基板ボックスホルダを斜め後方から示す斜視図である。
【図１９】（Ａ）はパネルホルダとパネル裏板とを分解して示す分解斜視図であり、（Ｂ）はパネルホルダにパネル裏板を組付けた状態で示す組立斜視図である。
【図２０】遊技盤に固定された主制御基板ボックスを拡大して示す背面図である。
【図２１】図２０に示したものを斜め下側から示す斜視図である。
【図２２】図２０におけるＡ−Ａ断面図である。
【図２３】図２１において主制御基板ボックスを外した状態で示す斜視図である。
【図２４】図２１における分解斜視図である。
【符号の説明】
【０２０３】
１  パチンコ機
５  遊技盤
３７  遊技領域
７６  外レール
７７  内レール
７８  案内レール
７９  前構成部材
９１  基板ボックスホルダ（基板ボックス保持部材）
９１ａ  遊技球排出口（遊技媒体排出口）
９１ｂ  底部
９１ｄ  ボックス装着部
９１ｅ  固定ボス
９１ｈ  係合開口部
９１ｉ  係合係止部
９１ｊ  凹段部
９４  主制御基板（制御基板）
９５  主制御基板ボックス（制御基板ボックス）
９５ａ  係合突出片
９５ｂ  弾性係合片
９６  ボックス本体
９６ａ  貫通孔
９６ｂ  本体側接続部
９７  ボックスカバー
９７ａ  角孔
９７ｂ  貫通孔
９７ｃ  第一接続部
９７ｄ  解封削除部
９７ｅ  角孔
９７ｆ  貫通孔
９７ｇ  第二接続部
１００  第一封止手段
１００ａ  第一封止部
１００ｂ  第一封止受部
１００ｃ  第一封止ブロック
１０１  封止部材（第一封止部材，第二封止部材）
１０１ａ  封印ネジ
１０１ｂ  封印部材
１０１ｃ  頭部
１０１ｄ  延出部
１０１ｅ  ネジ部
１０１ｆ  縮径部
１０１ｇ  ネジ孔
１０２  第二封止手段
１０２ａ  第二封止部
１０２ｂ  第二封止受部
１０２ｃ  第二封止ブロック
１０４  キャップ
２００  遊技パネル
２０２  パネルホルダ
２０２ａ  嵌合段部
２０２ｂ  貫通口
２０２ｊ  第一取付孔（取付孔）
２０２ｋ  第二取付孔（取付孔）
２０４  パネル裏板
２０４ａ  ビス孔
２１０  裏箱
２１２  演出表示装置
２１４  アウト口
２１６  第一ビス
２２０  中間部材
２２０ａ  固定部
２２０ｂ  貫通孔
２２２  固定部材
【図１】
2008018042.tif 000003
【図２】
2008018042.tif 000004
【図３】
2008018042.tif 000005
【図４】
2008018042.tif 000006
【図５】
2008018042.tif 000007
【図６】
2008018042.tif 000008
【図７】
2008018042.tif 000009
【図８】
2008018042.tif 000010
【図９】
2008018042.tif 000011
【図１０】
2008018042.tif 000012
【図１１】
2008018042.tif 000013
【図１２】
2008018042.tif 000014
【図１３】
2008018042.tif 000015
【図１４】
2008018042.tif 000016
【図１５】
2008018042.tif 000017
【図１６】
2008018042.tif 000018
【図１７】
2008018042.tif 000019
【図１８】
2008018042.tif 000020
【図１９】
2008018042.tif 000021
【図２０】
2008018042.tif 000022
【図２１】
2008018042.tif 000023
【図２２】
2008018042.tif 000024
【図２３】
2008018042.tif 000025
【図２４】
2008018042.tif 000026